(57)【特許請求の範囲】
【請求項１】
第１のリソースエレメントにおける時間−周波数空間を組織する第１の構成に基づく無線通信と、第２のリソースエレメントにおける時間−周波数空間を組織し、前記第２のリソースエレメントの少なくとも１つを前記第１の構成に基づく前記無線通信と競合する利用に割り当てる第２の構成に基づく無線通信とをサポートするセルラネットワークにおける無線通信を制御する方法であって、
前記セルラネットワークのノードが受信側の通信デバイスに指標を送信することを含み、ここで、前記指標は、前記第１の構成および／または前記第２の構成に基づく前記セルラネットワークを用いて無線通信を実行する際に前記通信デバイスにより無視される前記第１のリソースエレメントの少なくとも１つを含むブランキングパターンを定義するための時間領域および／または周波数領域の情報を含み、
前記ブランキングパターンの前記少なくとも１つのリソースエレメントは、前記第２のリソースエレメントの前記少なくとも１つにより定義された前記時間−周波数空間の第２の部分と重なる前記時間−周波数空間の第１の部分を定義し、
前記指標は、前記第１のリソースエレメントの第１のパターンを定義するための第１の時間座標および／または第１の周波数座標の情報と、第１のリソースエレメントの第２のパターンを定義するための第２の時間座標および／または第２の周波数座標の情報とを含み、
前記ブランキングパターンは、前記第１のパターンと前記第２のパターンとの共通部分である、方法。
【請求項２】
前記ノードは、前記第２の構成に依存して、前記ブランキングパターンの前記少なくとも第１のリソースエレメントを決定する、請求項１に記載の方法。
【請求項３】
前記第１の構成および／または第２の構成に基づいて無線通信を実行する際に、前記ノードが、前記ブランキングパターンの前記少なくとも第１のリソースエレメントを無視することを含む、請求項１または２に記載の方法。
【請求項４】
前記ノードが、前記少なくとも１つの第２のリソースエレメントを決定し、前記第２の構成に基づいて無線通信を実行する際に、前記少なくとも１つの第２のリソースエレメントを無視することを含む、請求項３に記載の方法。
【請求項５】
前記第１の構成は、前記ブランキングパターンの前記少なくとも１つの第１のリソースエレメントをデータの送信に割り当て、前記第２の構成は、前記第２のリソースエレメントの前記少なくとも１つを参照信号の送信に割り当てる、請求項１から４のいずれか１項に記載の方法。
【請求項６】
前記第１の構成に基づいて無線通信を実行する際に前記ブランキングパターンの前記少なくとも１つの第１のリソースエレメントを無視することは、前記ブランキングパターンの前記少なくとも１つの第１のリソースエレメントを除外した前記第１のリソースエレメントのグループに前記データをマッピングすることを含む、請求項５に記載の方法。
【請求項７】
前記第２の構成に基づいて無線通信を実行する際に前記ブランキングパターンの前記少なくとも１つの第１のリソースエレメントを無視することは、前記第２のリソースエレメントの前記少なくとも１つを除外した前記第２のリソースエレメントのグループに前記参照信号をマッピングすることを含む、請求項５または６に記載の方法。
【請求項８】
前記第１の構成は、前記ブランキングパターンの前記少なくとも１つの第１のリソースエレメントを参照信号の送信に割り当て、前記第２の構成は、前記第２のリソースエレメントの前記少なくとも１つを参照信号の送信に割り当てない、請求項１から５のいずれか１項に記載の方法。
【請求項９】
前記第１の構成に基づいて無線通信を実行する際に前記ブランキングパターンの前記少なくとも１つの第１のリソースエレメントを無視することは、前記ブランキングパターンの前記少なくとも１つの第１のリソースエレメントを除外した前記第１のリソースエレメントのグループに前記参照信号をマッピングすることを含む、請求項８に記載の方法。
【請求項１０】
前記第１の構成は、第１の時間−周波数グリッドに基づいて前記第１のリソースエレメントを定義し、前記第２の構成は、前記第１の時間−周波数グリッドと異なる第２の時間−周波数グリッドに基づいて前記第２のリソースエレメントを定義する、請求項１から９のいずれか１項に記載の方法。
【請求項１１】
第１のリソースエレメントにおける時間−周波数空間を組織する第１の構成に基づく無線通信と、第２のリソースエレメントにおける時間−周波数空間を組織し、前記第２のリソースエレメントの少なくとも１つを前記第１の構成に基づく前記無線通信と競合する利用に割り当てる第２の構成に基づく無線通信とをサポートするセルラネットワークにおける無線通信を制御する方法であって、
受信側の通信デバイスが、前記セルラネットワークから指標を受信することを含み、前記指標は、前記第１のリソースエレメントの少なくとも１つを含むブランキングパターンを定義するための時間領域および／または周波数領域の情報を含み、
前記通信デバイスが、前記第１の構成および／または第２の構成に基づいて前記セルラネットワークと無線通信を実行する際に、前記ブランキングパターンの前記少なくとも第１のリソースエレメントを無視することを含み、
前記第１のリソースエレメントの前記少なくとも１つは、前記第２のリソースエレメントの前記少なくとも１つにより定義される前記時間−周波数空間の第２の部分と重なる前記時間−周波数空間の第１の部分を定義し、
前記指標は、前記第１のリソースエレメントの第１のパターンを定義するための第１の時間座標および／または第１の周波数座標の情報と、第１のリソースエレメントの第２のパターンを定義するための第２の時間座標および／または第２の周波数座標の情報とを含み、
前記ブランキングパターンは、前記第１のパターンと前記第２のパターンとの共通部分である、方法。
【請求項１２】
前記指標に基づいて、前記通信デバイスが、前記少なくとも１つの第２のリソースエレメントを決定し、前記第２の構成に基づいて無線通信を実行する際に、前記少なくとも１つの第２のリソースエレメントを無視することを含む、請求項１１に記載の方法。
【請求項１３】
前記第１の構成は、前記ブランキングパターンの前記少なくとも１つの第１のリソースエレメントをデータの送信に割り当て、前記第２の構成は、前記第２のリソースエレメントの前記少なくとも１つを参照信号の送信に割り当てる、請求項１１または１２に記載の方法。
【請求項１４】
前記第１の構成に基づいて無線通信を実行する際に前記ブランキングパターンの前記少なくとも１つの第１のリソースエレメントを無視することは、前記ブランキングパターンの前記少なくとも１つの第１のリソースエレメントを除外した前記第１のリソースエレメントのグループに前記データをマッピングすることを含む、請求項１３に記載の方法。
【請求項１５】
前記第２の構成に基づいて無線通信を実行する際に前記ブランキングパターンの前記少なくとも１つの第１のリソースエレメントを無視することは、前記第２のリソースエレメントの前記少なくとも１つを除外した前記第２のリソースエレメントのグループに前記参照信号をマッピングすることを含む、請求項１３または１４に記載の方法。
【請求項１６】
前記第１の構成は、前記ブランキングパターンの前記少なくとも１つの第１のリソースエレメントを参照信号の送信に割り当て、前記第２の構成は、前記第２のリソースエレメントの前記少なくとも１つを参照信号の送信に割り当てない、請求項１１から１５のいずれか１項に記載の方法。
【請求項１７】
前記第１の構成に基づいて無線通信を実行する際に前記ブランキングパターンの前記少なくとも１つの第１のリソースエレメントを無視することは、前記ブランキングパターンの前記少なくとも１つの第１のリソースエレメントを除外した前記第１のリソースエレメントのグループに前記参照信号をマッピングすることを含む、請求項１６に記載の方法。
【請求項１８】
前記第１の構成は、第１の時間−周波数グリッドに基づいて前記第１のリソースエレメントを定義し、前記第２の構成は、前記第１の時間−周波数グリッドと異なる第２の時間−周波数グリッドに基づいて前記第２のリソースエレメントを定義する、請求項１１から１７のいずれか１項に記載の方法。
【請求項１９】
第１のリソースエレメントにおける時間−周波数空間を組織する第１の構成に基づく無線通信と、第２のリソースエレメントにおける時間−周波数空間を組織し、前記第２のリソースエレメントの少なくとも１つを前記第１の構成に基づく前記無線通信と競合する利用に割り当てる第２の構成に基づく無線通信とをサポートするセルラネットワークに対するノードであって、前記ノードは、
受信側の通信デバイスに対するインタフェースと、
少なくとも１つのプロセッサを有し、
前記少なくとも１つのプロセッサは、通信デバイスに指標を送信するように構成され、ここで、前記指標は、前記第１の構成および／または前記第２の構成に基づく前記セルラネットワークを用いて無線通信を実行する際に前記通信デバイスにより無視される前記第１のリソースエレメントの少なくとも１つを含むブランキングパターンを定義するための時間領域および／または周波数領域の情報を含み、
前記ブランキングパターンの前記少なくとも１つのリソースエレメントは、前記第２のリソースエレメントの前記少なくとも１つにより定義された前記時間−周波数空間の第２の部分と重なる前記時間−周波数空間の第１の部分を定義し、
前記指標は、前記第１のリソースエレメントの第１のパターンを定義するための第１の時間座標および／または第１の周波数座標の情報と、第１のリソースエレメントの第２のパターンを定義するための第２の時間座標および／または第２の周波数座標の情報とを含み、
前記ブランキングパターンは、前記第１のパターンと前記第２のパターンとの共通部分である、ノード。
【請求項２０】
前記少なくとも１つのプロセッサは、請求項２から１０のいずれか１項に記載の方法を実行するように構成されることを特徴とする請求項１９に記載のノード。
【請求項２１】
受信側の通信デバイスであって、
第１のリソースエレメントにおける時間−周波数空間を組織する第１の構成に基づく無線通信と、第２のリソースエレメントにおける時間−周波数空間を組織し、前記第２のリソースエレメントの少なくとも１つを前記第１の構成に基づく前記無線通信と競合する利用に割り当てる第２の構成に基づく無線通信とをサポートするセルラネットワークへのインタフェースと、
少なくとも１つのプロセッサとを有し、
前記少なくとも１つのプロセッサは、
指標を受信し、ここで、前記指標は、前記第１のリソースエレメントの少なくとも１つを含むブランキングパターンを定義するための時間領域および／または周波数領域の情報を含み、
前記第１の構成および／または第２の構成に基づいて無線通信を実行する際に、前記ブランキングパターンの前記少なくとも第１のリソースエレメントを無視するするように構成され、
前記第１のリソースエレメントの前記少なくとも１つは、前記第２のリソースエレメントの前記少なくとも１つにより定義される前記時間−周波数空間の第２の部分と重なる前記時間−周波数空間の第１の部分を定義し、
前記指標は、前記第１のリソースエレメントの第１のパターンを定義するための第１の時間座標および／または第１の周波数座標の情報と、第１のリソースエレメントの第２のパターンを定義するための第２の時間座標および／または第２の周波数座標の情報とを含み、
前記ブランキングパターンは、前記第１のパターンと前記第２のパターンとの共通部分である、通信デバイス。
【請求項２２】
前記少なくとも１つのプロセッサは、請求項１２から１８のいずれか１項に記載の方法を実行するように構成されることを特徴とする請求項２１に記載の通信デバイス。
【請求項２３】
セルラネットワークのノードの少なくとも１つのプロセッサにより実行されるプログラムコードを含むコンピュータプログラムであって、前記少なくとも１つのプロセッサによる前記プログラムコードの実行により、前記ノードに請求項１から１０のいずれか１項に記載の方法の工程を実行させることを特徴とするコンピュータプログラム。
【請求項２４】
セルラネットワークのノードの少なくとも１つのプロセッサにより実行されるプログラムコードを含む記憶媒体であって、前記少なくとも１つのプロセッサによる前記プログラムコードの実行により、前記ノードに請求項１から１０のいずれか１項に記載の方法の工程を実行させることを特徴とする記憶媒体。
【請求項２５】
受信側の通信デバイスの少なくとも１つのプロセッサにより実行されるプログラムコードを含むコンピュータプログラムであって、前記少なくとも１つのプロセッサによる前記プログラムコードの実行により、前記通信デバイスに請求項１１から１８のいずれか１項に記載の方法の工程を実行させることを特徴とするコンピュータプログラム。
【請求項２６】
受信側の通信デバイスの少なくとも１つのプロセッサにより実行されるプログラムコードを含む記憶媒体であって、前記少なくとも１つのプロセッサによる前記プログラムコードの実行により、前記通信デバイスに請求項１１から１８のいずれか１項に記載の方法の工程を実行させることを特徴とする記憶媒体。
【発明の詳細な説明】
【技術分野】
【０００１】
本発明は、セルラネットワークにおける無線送信を制御するための方法、および、それに対応する装置に関する。
【背景技術】
【０００２】
無線技術が新しい特徴を導入することにより進化する場合、典型的には、無線技術の後のバージョンは、先のバージョンと下位互換性があることが望まれる。これにより、両方のバージョンは、同じ無線通信システムにおいて共存することが可能となる。
【０００３】
無線技術のそのような進化の例として、３ＧＰＰ（第３世代パートナーシッププロジェクト）により規定されたＬＴＥ（ロングタームエヴォリューション）セルラ無線技術がある。ここで、例えば、ＬＴＥリリース８（Ｒｅｌ−８）仕様に従うユーザ装置（ＵＥ）と、リリース１０（Ｒｅｌ−１０）仕様に従うＵＥは、ＬＴＥ  Ｒｅｌ−１０仕様に従うセルラネットワークにおいて共存し得る。更に、ＬＴＥ  Ｒｅｌ−１０に従うＵＥは、ＬＴＥ  Ｒｅｌ−８仕様に従うセルラネットワークを使用し得る。
【０００４】
Ｒｅｌ−８に従うセルラ無線技術とＲｅｌ−１０に従うセルラ無線技術との間の１つの例示的な差異は、参照信号の利用に存在する。ＬＴＥ  Ｒｅｌ−１０において、チャネル状態情報参照信号（ＣＳＩ−ＲＳ）は、チャネル状態情報（ＣＳＩ）を提供する目的のために定義される。それと比較して、ＬＴＥ  Ｒｅｌ−８では、ＣＳＩの測定は、セル固有参照信号（ＣＲＳ）に依存する。ＬＴＥ  Ｒｅｌ−１０をサポートするＵＥ（以下においてＲｅｌ−１０  ＵＥとも称する）は、受信信号において、いつまたはどこにＣＳＩ−ＲＳが存在するを認識する。しかしながら、そのような認識は、ＬＴＥ  Ｒｅｌ−８のみをサポートするＵＥ（以下においてＲｅｌ−８  ＵＥとも称する）の場合には存在しない。結果として、Ｒｅｌ−８  ＵＥは、ＣＳＩ−ＲＳを送信するために使用されるリソースエレメントにおいてデータが存在すると想定する。したがって、Ｒｅｌ−８  ＵＥがＣＳＩ−ＲＳを含むサブフレームにおいて送信がスケジュールされている場合、送信は失敗する可能性がある。この問題は、ＣＳＩ−ＲＳを含むサブフレームにおいてＲｅｌ−８  ＵＥをスケジュールしないことにより緩和されるものの、全体のクラスのＵＥに対するそのようなサブフレームの除外は、過度に制限したものになり得る。更に、３ＧＰＰ  ＴＳ  ３６．２１３  Ｖ１２．５．０  （２０１５−０３）において規定されたようなゼロパワーＣＳＩ−ＲＳを構成する可能性によっても、その助けにはならない。なぜならば、それは、ゼロパワーとして、ある所定のＣＳＩ−ＲＳの配置のみを許容し、Ｒｅｌ−８  ＵＥに対してサポートされないからである。
【０００５】
同様に、無線技術の先のバージョンの特徴は、無線技術の後のバージョンに影響を与え得る。例えば、ＬＴＥ  Ｒｅｌ−８のＣＲＳは、典型的には、Ｒｅｌ−１０  ＵＥと無線通信を行う際には必要ではない。一方、ＣＲＳの送信は、ディアクティベートされない。なぜならばＲｅｌ−８  ＵＥはそれらに依存するからである。もしＣＲＳがセルに存在しない場合、Ｒｅｌ−８  ＵＥは、このセルへ接続が妨げられ得る。結果として、システムにＲｅｌ−８  ＵＥが現在存在しない場合であっても、ＣＲＳは、典型的に、全てのサブフレームおよび全ての物理リソースブロック（ＰＲＢ）において送信される必要がある。そのような、特定の信号の継続した送信の要件は、例えば、エネルギー効率性またはリソース利用の効率性の観点から、過度な限定を構成し得る。
【０００６】
従って、無線通信ベースの、異なり、かつ、潜在的に相反する構成をサポートするセルラネットワークにおいて、無線送信を効率的に制御することが許容される技術が必要となる。
【発明の概要】
【０００７】
本発明の実施形態によれば、セルラネットワークにおける無線送信を制御する方法が提供される。セルラネットワークは、第１のリソースエレメントにおける時間−周波数空間を組織する第１の構成に基づく無線通信と、第２のリソースエレメントにおける時間−周波数空間を組織し、当該第２のリソースエレメントの少なくとも１つを当該第１の構成に基づく無線通信と競合する利用に割り当てる第２の構成に基づく無線通信をサポートすると想定される。当該方法によれば、セルラネットワークのノードは、指標を通信デバイスに送信する。指標は、第１の構成および／または第２の構成に基づいて当該セルラネットワークと無線通信を行う際に、通信デバイスにより無視される、第１のリソースエレメントの少なくとも１つを含むパターンを定義するための時間領域および／または周波数領域の情報を含む。パターンの少なくとも１つの第１のリソースエレメントは、第２のリソースエレメントの少なくとも１つにより定義される時間−周波数空間の第２の部分と重なる時間−周波数空間の第１の部分を定義する。
【０００８】
本発明の更なる実施形態によれば、セルラネットワークにおける無線送信を制御する方法が提供される。セルラネットワークは、第１のリソースエレメントにおける時間−周波数空間を組織する第１の構成に基づく無線通信と、第２のリソースエレメントにおける時間−周波数空間を組織し、当該第２のリソースエレメントの少なくとも１つを当該第１の構成に基づく無線通信と競合する利用に割り当てる第２の構成に基づく無線通信をサポートすると想定される。当該方法によれば、セルラネットワークのノードは、指標を受信する。指標は、第１のリソースエレメントの少なくとも１つを含むパターンを定義するための時間領域および／または周波数領域の情報を含む。第１のリソースエレメントの少なくとも１つは、第２のリソースエレメントの少なくとも１つにより定義される時間−周波数空間の第２の部分と重なる時間−周波数空間の第１の部分を定義する。第１の構成および／または第２の構成に基づいて通信デバイスと無線通信を実行する際、ノードは、パターンの少なくとも１つの第１のリソースエレメントを無視する。
【０００９】
本発明の更なる実施形態によれば、セルラネットワークにおける無線送信を制御する方法が提供される。セルラネットワークは、第１のリソースエレメントにおける時間−周波数空間を組織する第１の構成に基づく無線通信と、第２のリソースエレメントにおける時間−周波数空間を組織し、当該第２のリソースエレメントの少なくとも１つを当該第１の構成に基づく無線通信と競合する利用に割り当てる第２の構成に基づく無線通信をサポートすると想定される。当該方法によれば、通信装置は、セルラネットワークから指標を受信する。指標は、第１のリソースエレメントの少なくとも１つを含むパターンを定義するための時間領域および／または周波数領域の情報を含む。第１のリソースエレメントの少なくとも１つは、第２のリソースエレメントの少なくとも１つにより定義される時間−周波数空間の第２の部分と重なる時間−周波数空間の第１の部分を定義する。第１の構成および／または第２の構成に基づいてセルラネットワークと無線通信を実行する際、通信デバイスは、パターンの少なくとも１つの第１のリソースエレメントを無視する。
【００１０】
本発明の更なる実施形態によれば、セルラネットワークに対するノードが提供される。セルラネットワークは、第１のリソースエレメントにおける時間−周波数空間を組織する第１の構成に基づく無線通信と、第２のリソースエレメントにおける時間−周波数空間を組織し、当該第２のリソースエレメントの少なくとも１つを当該第１の構成に基づく無線通信と競合する利用に割り当てる第２の構成に基づく無線通信をサポートすると想定される。ノードは、通信デバイスへのインタフェースと、少なくとも１つのプロセッサを有する。当該少なくとも１つのプロセッサは、指標を通信デバイスに送信するように構成される。指標は、第１の構成および／または第２の構成に基づいてセルラネットワークと無線通信を実行する際に、通信デバイスにより無視される該第１のリソースエレメントの少なくとも１つを含むパターンを定義するための時間領域および／または周波数領域の情報を含む。パターンの少なくとも１つの第１のリソースエレメントは、第２のリソースエレメントの前記少なくとも１つにより定義される前記時間−周波数空間の第２の部分と重なる時間−周波数空間の第１の部分を定義する。
【００１１】
本発明の更なる実施形態によれば、セルラネットワークに対するノードが提供される。セルラネットワークは、第１のリソースエレメントにおける時間−周波数空間を組織する第１の構成に基づく無線通信と、第２のリソースエレメントにおける時間−周波数空間を組織し、第２のリソースエレメントの少なくとも１つを第１の構成に基づく無線通信と競合する利用に割り当てる第２の構成に基づく無線通信をサポートすると想定される。ノードは、通信デバイスへのインタフェースと、少なくとも１つのプロセッサを有する。当該少なくとも１つのプロセッサは、指標を受信するように構成される。指標は、第１のリソースエレメントの少なくとも１つを含むパターンを定義するための時間領域および／または周波数領域の情報を含む。第１のリソースエレメントの少なくとも１つは、第２のリソースエレメントの少なくとも１つにより定義される時間−周波数空間の第２の部分と重なる時間−周波数空間の第１の部分を定義する。更に、少なくとも１つのプロセッサは、第１の構成および／または第２の構成に基づいて、通信デバイスと無線通信を行う際に、パターンの少なくとも１つの第１のリソースエレメントを無視するように構成される。
【００１２】
本発明の更なる実施形態によれば、通信デバイスが提供される。通信デバイスは、セルラネットワークへのインタフェースと、少なくとも１つのプロセッサを有する。セルラネットワークは、第１のリソースエレメントにおける時間−周波数空間を組織する第１の構成に基づく無線通信と、第２のリソースエレメントにおける時間−周波数空間を組織し、当該第２のリソースエレメントの少なくとも１つを第１の構成に基づく無線通信と競合する利用に割り当てる第２の構成に基づく無線通信をサポートすると想定される。少なくとも１つのプロセッサは、セルラネットワークから指標を受信するように構成される。指標は、第１のリソースエレメントの少なくとも１つを含むパターンを定義するための時間領域および／または周波数領域の情報を含む。第１のリソースエレメントの少なくとも１つは、第２のリソースエレメントの少なくとも１つにより定義される時間−周波数空間の第２の部分と重なる時間−周波数空間の第１の部分を定義する。更に、少なくとも１つのプロセッサは、第１の構成および／または第２の構成に基づいて、通信デバイスと無線通信を実行する際に、パターンの少なくとも１つの第１のリソースエレメントを無視するように構成される。
【００１３】
本発明の更なる実施形態によれば、セルラネットワークのノードの少なくとも１つのプロセッサにより実行されるプログラムコードを有するコンピュータプログラムまたは（非一時的な記憶媒体の形態での）コンピュータプログラム製品が提供される。セルラネットワークは、第１のリソースエレメントにおける時間−周波数空間を組織する第１の構成に基づく無線通信と、第２のリソースエレメントにおける時間−周波数空間を組織し、第２のリソースエレメントの少なくとも１つを第１の構成に基づく無線通信と競合する利用に割り当てる第２の構成に基づく無線通信をサポートすると想定される。当該少なくとも１つのプロセッサによるプログラムコードの実行により、ノードが指標を通信デバイスに送信する。指標は、第１の構成および／または第２の構成に基づいてセルラネットワークと無線通信を実行する際に、通信デバイスにより無視される、第１のリソースエレメントの少なくとも１つを含むパターンを定義するための時間領域および／または周波数領域の情報を含む。パターンの少なくとも１つの第１のリソースエレメントは、第２のリソースエレメントの少なくとも１つにより定義される時間−周波数空間の第２の部分と重なる時間−周波数空間の第１の部分を定義する。
【００１４】
本発明の更なる実施形態によれば、セルラネットワークのノードの少なくとも１つのプロセッサにより実行されるプログラムコードを有するコンピュータプログラムまたは（非一時的な記憶媒体の形態での）コンピュータプログラム製品が提供される。セルラネットワークは、第１のリソースエレメントにおける時間−周波数空間を組織する第１の構成に基づく無線通信と、第２のリソースエレメントにおける時間−周波数空間を組織し、第２のリソースエレメントの少なくとも１つを第１の構成に基づく無線通信と競合する利用に割り当てる第２の構成に基づく無線通信をサポートすると想定される。当該少なくとも１つのプロセッサによるプログラムコードの実行により、ノードが指標を受信する。指標は、第１のリソースエレメントの少なくとも１つを含むパターンを定義するための時間領域および／または周波数領域の情報を含む。第１のリソースエレメントの少なくとも１つは、第２のリソースエレメントの少なくとも１つにより定義される時間−周波数空間の第２の部分と重なる時間−周波数空間の第１の部分を定義する。更に、少なくとも１つのプロセッサによるプログラムコードの実行により、ノードは、第１の構成および／または第２の構成に基づいて、通信デバイスと無線通信を行う際に、パターンの少なくとも１つの第１のリソースエレメントを無視する。
【００１５】
本発明の更なる実施形態によれば、セルラネットワークに対する通信デバイスの少なくとも１つのプロセッサにより実行されるプログラムコードを有するコンピュータプログラムまたは（非一時的な記憶媒体の形態での）コンピュータプログラム製品が提供される。セルラネットワークは、第１のリソースエレメントにおける時間−周波数空間を組織する第１の構成に基づく無線通信と、第２のリソースエレメントにおける時間−周波数空間を組織し、第２のリソースエレメントの少なくとも１つを第１の構成に基づく無線通信と競合する利用に割り当てる第２の構成に基づく無線通信をサポートすると想定される。当該少なくとも１つのプロセッサによるプログラムコードの実行により、通信デバイスは、セルラネットワークから指標を受信する。指標は、第１のリソースエレメントの少なくとも１つを含むパターンを定義するための時間領域および／または周波数領域の情報を含む。第１のリソースエレメントの少なくとも１つは、第２のリソースエレメントの少なくとも１つにより定義される時間−周波数空間の第２の部分と重なる時間−周波数空間の第１の部分を定義する。更に、少なくとも１つのプロセッサによるプログラムコードの実行により、通信デバイスは、第１の構成および／または第２の構成に基づいて、セルラネットワークと無線通信を実行する際に、パターンの少なくとも１つの第１のリソースエレメントを無視する。
【００１６】
このような実施形態および更なる実施形態の詳細は、以下の実施形態の詳細な説明から明らかになるだろう。
【図面の簡単な説明】
【００１７】
【図１】図１は、本発明の実施形態に従う無線通信に適用され得る構成の例を概略的に示す。
【図２Ａ】図２Ａは、本発明の実施形態に従うブランキングパターンの指標を利用した例示的なシナリオを概略的に示す。
【図２Ｂ】図２Ｂは、本発明の実施形態に従うブランキングパターンの指標を利用した例示的なシナリオを概略的に示す。
【図２Ｃ】図２Ｃは、本発明の実施形態に従うブランキングパターンの指標を利用した例示的なシナリオを概略的に示す。
【図３】図３は、本発明の実施形態に従うブランキングパターンの例を示す。
【図４】図４は、ブランキングパターンが論理優位規則に従って複数の示されたパターンを結合することによって得られる、本発明の実施形態に従う例示的なシナリオを示す。
【図５】図５は、ブランキングパターンが、順番に従って複数の示されたパターンを結合することによって得られる、本発明の実施形態に従う例示的なシナリオを示す。
【図６】図６は、ブランキングパターンが、当該ブランキングパターンを適用するＵＥの能力および／または送信モードに依存する、本発明の実施形態に従う例示的なシナリオを示す。
【図７】図７は、適用されたブランキングパターンが、時間に依存する、本発明の実施形態に従う例示的なシナリオを示す。
【図８】図８は、ブランキングパターンが、異なるサイズのパターンからの時間依存の手法で結合される、本発明の実施形態に従う例示的なシナリオを示す。
【図９Ａ】図９Ａは、ブランキングパターンが、異なるサイズのパターンからの時間依存の手法で結合される、本発明の実施形態に従う例示的なシナリオを示す。
【図９Ｂ】図９Ｂは、ブランキングパターンが、異なるサイズのパターンからの時間依存の手法で結合される、本発明の実施形態に従う例示的なシナリオを示す。
【図１０】図１０は、適用されたブランキングパターンが、信号への同期に依存する、本発明の実施形態に従う例示的なシナリオを示す。
【図１１】図１１は、異なるブランキングパターンが、無線通信に対して利用される対応するビームに関連付けられる、例示的なシナリオを示す。
【図１２】図１２は、セルラネットワークのノードにより実装され得る、本発明の実施形態に従う方法を示すフローチャートを示す。
【図１３】図１３は、セルラネットワークのノードにより実装され得る、本発明の実施形態に従う更なる方法を示すフローチャートを示す。
【図１４】図１４は、セルラネットワークと通信する通信デバイスにより実装され得る、本発明の実施形態に従う更なる方法を示すフローチャートを示す。
【図１５】図１５は、本発明の実施形態に従うセルラネットワークノードの構成を概略的に示す。
【図１６】図１６は、本発明の実施形態に従う通信デバイスの構成を概略的に示す。
【発明を実施するための形態】
【００１８】
以下において、本発明の例示的な実施形態に従う概念が、付随する図面を参照して詳細に説明される。示される実施形態は、セルラネットワークにおける無線送信を制御するための概念に関連する。実施形態は、具体的には、ＬＴＥ無線技術を使用することに基づくシナリオを参照する。しかしながら、当該概念はまた、例えば５Ｇ（第５世代）セルラ無線技術といったＬＴＥ無線技術の将来の進化版等の他の無線アクセス技術に関連して適用され得る。
【００１９】
図１は、セルラネットワークにおける無線通信に適用され得る異なる構成（ＣＯＮＦ＃１、ＣＯＮＦ＃２）の例を示す。図示するように、各構成は、リソースエレメント（ＲＥ）において時間−周波数空間を組織することに基づく。図示された例では、この組織は、ＬＴＥ無線技術に対して規定されたような、時間−周波数グリッドに基づいたものと想定される。図示するように、時間−周波数グリッドは、複数のＲＥを含む。周波数領域では、各ＲＥは、１５ｋＨｚのサブキャリア空間Δｆに対応する周波数帯域にわたって広がる。時間領域では、各ＲＥは、１つの直交周波数分割多重（ＯＦＤＭ）シンボルの区間を有するタイムスロットΔｔにわたって広がる。図示する例では、第１の構成と第２の構成は、同じ時間−周波数グリッド、すなわち、同じサブキャリアの帯域および同じ変調シンボル区間、に基づくと想定される。しかしながら、第１の構成と第２の構成は、異なる時間−周波数グリッドにも基づき得る。例えば、第１の構成は、第１の時間−周波数グリッドに基づき、第２の構成は、第２の時間−周波数グリッドに基づき得る。また、第１の時間−周波数グリッドは、サブキャリア間隔Δｆおよび／または変調シンボル区間Δｔに関して異なり得る。以下において、第１の構成のＲＥは、第１のＲＥとも称され、第２の構成のＲＥは、第２のＲＥとも称される。
【００２０】
図示した概念では、各構成は、ＲＥを特定の利用に割り当てると想定される。そのような利用の例は、データの送信、制御信号の送信、または、参照信号の送信である。さらに、第２のＲＥの少なくとも１つに対して、割り当てられた利用は、第１の構成に基づく無線通信と競合するものとする。図示するように、そのような競合は、第１のリソースエレメントの１つにより定義される時間周波数空間の一部が第２のリソースエレメントの１つにより定義される時間周波数空間の一部に重なり、この第１のリソースエレメントとこの第２のリソースエレメントは、異なる利用に割り当てられる場合に起こり得る。例えば、第１のリソースエレメントは、データの送信に割り当てられ得る一方で、第２のリソースエレメントは、参照信号の送信に割り当てられ得る。更に、第１のリソースエレメントは、第１のタイプの参照信号の送信に割り当てられ得る一方で、第２のリソースエレメントは、第１のタイプの参照信号と異なる第２のタイプの参照信号の送信に割り当てられ得る。更に、第１のリソースエレメントは、参照信号の送信に割り当てられ得る一方で、第２のリソースエレメントは、参照信号の送信またはあらゆる信号の送信には割り当てられなくともよい。
【００２１】
図示する概念によれば、第１の構成および／または第２の構成に基づいて無線通信を実行するＵＥまたはネットワークノードは、第１の構成および／または第２の構成に基づいて無線通信を実行する際に無視される第１の構成のＲＥを定義するブランキングパターンを用いて構成することができる。このようにして、競合する利用に起因する不利な影響を回避することが可能となる。ブランキングパターンの構成（設定）は、以下では「ブランキングパターンの指標」とも称される指標を送信することにより行われる。ブランキングパターンの指標は、ブランキングパターンを定義するために、時間領域の情報および／または周波数領域の情報を含む。例えば、時間領域の情報は、シンボルインデックスまたは他の時間領域の座標といった、時間座標の形式で提供され、無視されるＲＥの時間領域の位置を特定する。同様に、周波数領域の情報は、サブキャリアインデックスまたは他の周波数特性領域の座標といった、周波数座標の形式で提供され、無視されるＲＥの周波数領域の位置を特定する。更に、時間領域の情報および／または周波数領域の情報は、ＬＴＥ無線技術で定義されるような物理リソースブロック（ＰＲＢ）を識別するためのインデックスといった、ＲＥのグループを識別するための情報エレメントを含み得る。したがって、ブランキングパターンの指標は、例えば、特定のＰＲＢを識別するためのＰＲＢと、ＰＲＢ内の１つ以上のＲＥを識別するサブキャリアインデックスおよび／またはシンボルインデックスを含み得る。
【００２２】
ブランキングパターンの指標は、例えば、古いバージョンに対して定義されていない、新しいバージョンのＬＴＥ無線技術の参照信号の送信に対して利用されるＲＥに対応するブランキングパターンを用いて、古いバージョンのＬＴＥ無線技術に従って動作するＵＥを構成するために使用される。そのような例では、第１の構成は、古いバージョンに従う時間−周波数空間の利用に対応し、第２の構成は、新しいバージョンに従う時間−周波数空間の利用に対応する。
【００２３】
ＲＥを無視することは、例えば、データまたは参照信号をＲＥにマッピングしないことを含み得る。ＲＥを無視するエンティティ（ＵＥまたはネットワークノード）からの送信方向において、これは、実際上は、ＲＥが送信信号を伝達することから除外されることを意味する。ＲＥを無視するエンティティへの受信方向において、これは、実際上は、信号がＲＥ上で予測されないことを意味する。しかしながら、信号は、実際には、これらのＲＥにおいて送信される。ＲＥを無視することは、無視されたＲＥの周辺の送信信号または受信信号をレートマッチングすることを含み得る。データ送信に対するリソース割り当て、または、構成された参照信号の配置といった、これらの動作は、他の構成に関係なく、行われ得る。
【００２４】
ブランキングパターンの指標はまた、示されたブランキングパターンがどのように適用されるかを定義するための情報を含み得る。この情報は、以下において、「利用インジケータ」とも称される。利用インジケータは、例えば、ブランキングパターンがセルラネットワークからＵＥへのダウンリンク送信に対して適用されるか、ＵＥからセルラネットワークへのアップリンク送信に適用されるかを示し得る。更に、利用インジケータは、特定の信号（例えば同期信号）または特定の送信リソース（例えばアンテナポート）に対するブランキングパターンの関連を示し得る。更に、ブランキングパターンは、時間領域の情報の複数のセットおよび／または周波数領域の情報の複数のセット、および、どのようにこれらのセットをブランキングパターンを定義するために組み合わされるかを定義する更なる情報も含み得る。そのような複数のセットのそれぞれは、時間座標と周波数座標の少なくとも一方を含み得る。典型的なシナリオでは、そのような複数のセットの１つ以上は、周波数座標を含み、他のそのような複数のセットの１つ以上は、時間座標を含み得る。したがって、複雑なブランキングパターンが、これらの複数のセットの組み合わせにより、効率的かつ柔軟に定義され得る。
【００２５】
ブランキングパターンの指標は、例えば新しい参照信号を導入する際、または、先にサポートした参照信号をディアクティベートする際に、時間周波数空間のいくつかの部分の異なる利用を必要とする、新しい特徴が無線技術に導入される場合の下位互換性を容易に得るために使用される。ブランキングパターンの指標により、時間周波数空間の改良された利用をサポートしないあらゆるエンティティ（ＵＥといった通信デバイスだけでなく、基地局や他の種類のアクセスノードといったネットワークノード）は、対応するリソースエレメントを無視するように構成され得る。それにより、これらのエンティティによる不利な影響を回避することが可能となる。ブランキングパターンの指標において、時間領域の情報および／または周波数領域の情報を含むことにより、種々の種類のブランキングパターンを、柔軟で、将来においても有効な方法で定義することが可能となる。
【００２６】
図２Ａ、２Ｂ、および２Ｃは、異なる例示的なシナリオを示し、ここで、上述したブランキングパターン（ＢＰ）の指標が、ブランキングパターンを用いて通信デバイスおよびネットワークノードを構成するために使用されている。図示されたシナリオは、ＵＥ１０−Ａ、１０−Ｂと、基地局１００−Ａ、１００−Ｂ（例えば、ＬＴＥ無線技術に対して規定されるようなｅＮＢ）を含む。図示したデバイスのいくつか（ＵＥ１０−Ａと基地局１００−Ｂ）は、第１の構成に基づいて無線通信を実行すると想定され、他のデバイス（ＵＥ１０−Ｂと基地局１００−Ａ）は、第２の構成に基づいて無線通信を実行するものとする。これは、例えば、第２の構成に対するサポートを有さないＵＥ１０−Ａと基地局１００−Ｂに起因するため、または、第２の構成のサポートがこれらのデバイスに対してディアクティベートされるためであり得る。基地局１００−Ａと、オプション的にＵＥ１０−Ｂは、次に、第１の構成と第２の構成の同時の利用をサポートし得る。
【００２７】
図示するように、ＵＥ１０−Ａは、無線リンクＲＬ１により基地局１００−Ａと接続され、更なる無線リンクＲＬ２により基地局１００−Ｂと接続される。これらの無線リンクは、第１の構成に基づくものである。これらの無線リンクＲＬ１、ＲＬ２は、例えば、リンクアグリゲーションといった協調無線通信を行う際に、同時に利用され得る。または、基地局１００−Ａから基地局１００−Ｂへのハンドオーバを行う際に、次々に利用され得る。同様に、ＵＥ１０−Ｂは、無線リンクＲＬ３により基地局１００−Ａに接続される。無線リンクは、例えば、ＬＴＥ無線技術のＵｕインタフェースに基づく。無線リンクは、第２の構成に基づく。更に図示するように、基地局１００−Ａと基地局１００−Ｂは、例えば、ＬＴＥ無線技術のＸ２インタフェースに基づいて、バックホールリンクＢＨＬにより接続され得る。
【００２８】
図２Ａのシナリオでは、基地局１００−Ａは、ＵＥ１０−Ａとの無線通信に対して適用されるブランキングパターンを決定する。第１の構成と第２の構成の両方において、時間周波数空間の利用を認識している基地局１００−Ａは、競合する利用に割り当てられた第２の構成のＲＥをまず識別することによりブランキングパターンを決定し、ブランキングパターンを形成する第１の構成の対応するＲＥを決定する。基地局１００−Ａは、対応するブランキングパターンの指標２０を、ＵＥ１０−Ａに送信する。上述したように、ブランキングパターンの指標２０は、ブランキングパターンを定義するための時間領域の情報および／または周波数領域の情報と、オプション的には利用インジケータも含む。図示されるように、ブランキングパターンの指標２０は、ＵＥ１０−Ａと基地局１００−Ａを接続する無線リンクＲＬ１を介して送信される。ブランキングパターンの指標２０は、例えば、無線リンクＲＬ１に対して使用される無線リンク制御（ＲＬＣ）プロトコルのメッセージの情報エレメントにおいて送信され得る。ブランキングパターンの指標２０の受信することに応答して、ＵＥ１０−Ａは、例えば無線リンクＲＬ１上または無線リンクＲＬ２上での第１の構成に基づいて無線通信を実行する際に、ブランキングパターンのＲＥを無視する。
【００２９】
更に図示されるように、基地局１００−Ａは、ブランキングパターンの指標２０を、ＵＥ１０−Ｂに送信する。それは、ＵＥ１０−Ａと基地局１００−Ａを接続する無線リンクＲＬ３を介して行われ得る。このケースでは、ブランキングパターンの指標２０は、例えば、無線リンクＲＬ３に対して使用されるＲＬＣプロトコルのメッセージの情報エレメントにおいて送信され得る。ブランキングパターンの指標２０を受信することに応答して、ＵＥ１０−Ｂは、ブランキングパターンのＲＥに対応する第２の構成のＲＥを決定し、例えば、無線リンクＲＬ３上で第２の構成に基づいて無線通信を実行する際に、これらのＲＥを無視する。
【００３０】
更に図示するように、基地局１００−Ａは、更なるブランキングパターンの指標を基地局１００−Ｂへ送信し、これは、基地局１００−Ａと基地局１００−Ｂとを接続するバックホールリンクＢＨＬを介して行われ得る。更なるブランキングパターンの指標２０’は、ブランキングパターンの指標２０と同じまたは同様のコンテンツを有する。すなわち、ブランキングパターンを定義するための時間領域の情報および／または周波数領域の情報と、オプション的には利用インジケータを含む。しかしながら、異なるメッセージタイプまたはプロトコルタイプが、更なるブランキングパターンの指標２０’、すなわち、Ｘ２アプリケーションプロトコルのメッセージの情報エレメント、を送信するために使用され得る。更なるブランキングパターンの指標２０’を受信することに応答して、基地局１００−Ｂは、例えばリンクＲＬ２上で第１の構成に基づいて無線通信を実行する際に、ブランキングパターンのＲＥを無視する。
【００３１】
図２Ａのシナリオと同様に、図２Ｂのシナリオにおいて、基地局１００−Ａは、ＵＥ１０−Ａとの無線通信に適用されるブランキングパターンを決定し、ブランキングパターンの指標２０を無線リンクＲＬ１を介してＵＥ１０−Ａに送信する。ブランキングパターンの指標２０を受信することに応答して、ＵＥ１０−Ａは、例えば無線リンクＲＬ１上または無線リンクＲＬ２上で第１の構成に基づいて無線通信を実行する際に、ブランキングパターンのＲＥを無視する。更に、図２Ａのシナリオと同様に、基地局１００−Ａは、ブランキングパターンの指標２０をＵＥ１０−Ｂに送信する。ブランキングパターンの指標２０を受信することに応答して、ＵＥ１０−Ｂは、ブランキングパターンのＲＥに対応する第２の構成のＲＥを決定し、例えば、無線リンクＲＬ３上で第２の構成に基づいて無線通信を実行する際に、これらのＲＥを無視する。
【００３２】
しかしながら、図２Ａのシナリオと反対に、基地局１００−Ａは、バックホールリンクＢＨＬを介して、更なるブランキングパターンの指標２０’を基地局１００−Ｂに送信しない。むしろ、ブランキングパターンの指標２０を受信した後に、ＵＥ１０−Ａは、更なるブランキングパターンの指標２０’を基地局１００−Ｂに送信する。これは、基地局１００−Ｂへの無線リンクＲＬ２を介して行われ得る。このケースでは、更なるブランキングパターンの指標２０’は、例えば、無線リンクＲＬ２に対して使用されるＲＬＣプロトコルのメッセージの情報エレメントにおいて送信され得る。更なるブランキングパターンの指標２０’は、ブランキングパターンの指標２０と同じまたは同様のコンテンツを有する。すなわち、ブランキングパターンを定義するための時間領域の情報および／または周波数領域の情報と、オプション的には利用インジケータも含む。更なるブランキングパターンの指標２０’を受信することに応答して、基地局１００−Ｂは、例えばリンクＲＬ２上で第１の構成に基づいて無線通信を実行する際に、ブランキングパターンのＲＥを無視する。
【００３３】
図２Ｃのシナリオにおいてもまた、図２Ａと図２Ｂのシナリオと同様に、基地局１００−Ａは、ＵＥ１０−Ａとの無線通信に対して適用されるブランキングパターンを決定する。更に、図２Ａのシナリオと同様に、基地局１００−Ａは、ブランキングパターンの指標２０をＵＥに送信する。ブランキングパターンの指標２０を受信することに応答して、ＵＥ１０−Ｂは、ブランキングパターンのＲＥに対応する第２の構成のＲＥを決定し、例えば、無線リンクＲＬ３上で第２の構成に基づいて無線通信を実行する際に、これらのＲＥを無視する。
【００３４】
しかしながら、図２Ａと図２Ｂと反対に、基地局１００−Ａは、更なるブランキングパターンの指標２０を無線リンクＲＬ１を介してＵＥ１０−Ａに送信しない。むしろ、基地局１００Ａは、更なるブランキングパターンの指標２０’を基地局１００−Ｂへ送信する。これは、基地局１００−Ａと基地局１００−Ｂとを接続するバックホールリンクＢＨＬを介して行われ得る。更なるブランキングパターンの指標２０’は、ブランキングパターンの指標２０と同じまたは同様のコンテンツを有する。すなわち、ブランキングパターンを定義するための時間領域の情報および／または周波数領域の情報と、オプション的には利用インジケータも含む。しかしながら、異なるメッセージタイプまたはプロトコルタイプが、更なるブランキングパターンの指標２０’、すなわち、Ｘ２アプリケーションプロトコルのメッセージの情報エレメント、を送信するために使用され得る。更なるブランキングパターンの指標２０’を受信することに応答して、基地局１００−Ｂは、例えばリンクＲＬ２上で第１の構成に基づいて無線通信を実行する際に、ブランキングパターンのＲＥを無視する。更に、更なるブランキングパターンの指標２０’を受信した後、基地局１００−Ｂは、ブランキングパターンの指標２０をＵＥ１０−Ａに送信する。これは、無線リンクＲＬ２を介して行われ得る。ブランキングパターンの指標２０を受信することに応答して、ＵＥ１０−Ａは、例えば無線リンクＲＬ１上または無線リンクＲＬ２上で第１の構成に基づいて無線通信を実行する際に、ブランキングパターンのＲＥを無視する。
【００３５】
図３は、上述したブランキングパターンの指標により示され得るブランキングパターン３００の例を示す。ブランキングパターン３００は、周波数領域において１２サブキャリアをカバーし、時間領域において１４変調シンボルをカバーするように定義される。ブランキングパターン３００は、例えば、ＬＴＥ無線技術の１つのＰＲＢに対応する時間周波数空間の一部をカバーし得る。
【００３６】
図示するように、ブランキングパターンは、時間周波数空間のカバーされた部分における各第１のＲＥに対して、ＲＥがブランクであるか、すなわち、無視されるか否か、を示す。ＲＥがブランクの場合、無線通信を行う際にそれは無視される。ＲＥがブランクではい場合、無線通信に対してそれは利用され得る。図３では、ブランクのＲＥが塗りつぶされた箱により示される一方、ブランクでないＲＥが空の箱で示されている。
【００３７】
理解できるように、ブランキングパターン２００の各ＲＥは、周波数領域の座標と時間領域の座標により識別することができる。図示された例では、周波数領域の座標は、サブキャリアインデックスであり、時間領域の座標はシンボルインデックスである。周波数領域の座標と時間領域の座標は、更に、ＰＲＢを示すことにより特定され得る。ここで、ブランキングパターン３００は、例えば、ＰＲＢインデックスの形式で適用する。他のシナリオでは、ブランキングパターンが適用するＰＲＢは、他の情報から導出され得る。例えば、ブランキングパターン３００は、全てのＰＲＢまたは送信に対して割り当てられた各ＰＲＢにおいて適用することが想定される。
【００３８】
先に説明したように、ブランクの第１のＲＥが、サブキャリアインデックスとシンボルインデックスとＰＲＢインデックスにより識別することができる場合、ブランキングパターン３００は、時間領域の情報および／または周波数領域の情報を、ＲＥインデックス（ＲＥ＿ｉｎｄｅｘ）、ブランクのＲＥを示すＰＲＢを示すＰＲＢインデックス（ＰＲＢ＿ｉｎｄｅｘ）、および、ＲＥインデックスがサブキャリアインデックスまたはシンボルインデックスとして解釈されるかを示すインジケータ（ｔｆ＿ｉｎｄｉｃａｔｏｒ）により定義し得る。例えば、３つの要素の形式から、以下のように与えられる。
0006592180.tif 000002
【００３９】
ここで、例えば、ｔｆ＿ｉｎｄｉｃａｔｏｒ＝０の場合の値は、ＲＥ＿ｉｎｄｅｘはシンボルインデックスとして解釈されることを示し、ｔｆ＿ｉｎｄｉｃａｔｏｒ＝１の場合の値は、ＲＥ＿ｉｎｄｅｘはサブキャリアインデックスとして解釈されることを示す。ブランキングパターン３００は、そのような３つの要素の１つ以上を含む。
【００４０】
そのような３つの要素は、利用インジケータに関連付けられ得る。当該利用インジケータは、３つの要素により特定される時間領域の情報および／または周波数領域の情報を、UEからセルラネットワークのアップリンク送信方向（ＵＥの観点からの送信方向に対応）および／またはセルラネットワークからＵＥのダウンリンク送信方向（ＵＥの観点からの受信方向に対応）に適用するかを示すインジケータ（ＵＬ−ＤＬ＿ｉｎｄｉｃａｔｏｒ）を含む。更に、利用インジケータは、３つの要素により特定される時間領域の情報および／または周波数領域の情報が、ブランキングパターンの指標の他の３つの要素の１つ以上により特定される時間領域の情報および／または周波数領域の情報と、どのように結合されるかを示す結合インジケータ（ＣＯＭＢ＿ｉｎｄｉｃａｔｏｒ）を含む。利用インジケータは、例えば、２つの要素の形式で表せられる。
0006592180.tif 000003
【００４１】
例えば、ＵＬ−ＤＬ＿ｉｎｄｉｃａｔｏｒ＝’ＤＬ’の値は、３つの要素により特定される時間領域の情報および／または周波数領域の情報をダウンリンク送信方向に適用することを示し、ＵＬ−ＤＬ＿ｉｎｄｉｃａｔｏｒ＝’ＵＬ’の値は、３つの要素により特定される時間領域の情報および／または周波数領域の情報をアップリンク送信方向に適用することを示し、ＵＬ−ＤＬ＿ｉｎｄｉｃａｔｏｒ＝’ＤＵ’の値は、３つの要素により特定される時間領域の情報および／または周波数領域の情報をダウンリンク送信方向とアップリンク送信方向の両方に適用することを示す。結合インジケータは、例えば、あらゆる種類の論理結合演算（例えば、ＡＮＤ、ＯＲ、ＮＯＴ）を示す。更に、結合インジケータは、そのような結合演算が論理優先順位規則に従って適用されるか（例えば、最初にＮＯＴ、次にＡＮＤ、次にＯＲ）、または、そのような結合演算が順番で適用されるか（例えば、３つの要素と関連した利用インジケータがブランキングパターンの指標に配置された順序）を示し得る。
【００４２】
図４は、例えば、（１）にしたがって、第１の３つの要素、第２の３つの要素、第３の３つの要素により定義されるような、ＲＥ４１０の第１のパターン、ＲＥ４２０の第２のパターン、ＲＥ４３０の第３のパターンが、対応する利用インジケータと論理優先順位規則により定義される論理結合を適用することにより、ブランキングパターン４５０に結合される例を示す。
【００４３】
図４の例では、ブランキングパターンの指標は、以下の要素を含む。
0006592180.tif 000004
【００４４】
図５は、図４の例と同様の手法で定義された、ＲＥの第１のパターン、ＲＥ５２０の第２のパターン、ＲＥ５３０の第３のパターンを示し、図４の例と同じ結合インジケータが、（３）における３つの要素と関連する利用インジケータの配置により定義された順序において、利用インジケータにより定義される論理結合を適用することにより、ブランキングパターン５５０に結合されているものとする。
【００４５】
いくつかの実装では、結合インジケータは、ブランキングパターンの指標に明確に含まれる必要はない。むしろ、ブランクのＲＥを特定するための時間領域の情報および／または周波数領域の情報の複数のセットがブランキングパターンの指標に含まれる場合、これらの複数のセットを結合するための演算が、例えば予め構成された規則に基づいて、暗示的に導かれ得る。更に、ブランキングパターンの指標において、そのような複数のセットは、階層的な順序、すなわちそれぞれがサブセットを含むセットとして、配置される。そして、結合演算は、この階層的な順序に依存して決定される。例えば、所与のセットのサブセットは、’ＯＲ’演算により結合され（サブセットの連合として）、当該セットは’ＡＮＤ’演算により結合される（セットの共通集合として）。
【００４６】
いくつかの実装では、適用されたブランキングパターンは、ＵＥの能力および／または送信モードに依存し得る。例えば、ＵＥの能力は、ブランクのＲＥ周辺の符号化された信号のレートマッチングを行うことに関して、異なり得る。いくつかのＵＥは、個別のＲＥ周辺でレートマッチングを行うことができる。いくつかのＵＥは、所与の変調シンボルの全てのＲＥ周辺でのみレートマッチングを行うことができる。更に、いくつかのＵＥは、所与のサブキャリアの全てのＲＥ周辺でのみレートマッチングを行うことができる。更に、いくつかのＵＥは、所与の変調シンボルの全てのＲＥ周辺でと所与のサブキャリアの全てのＲＥ周辺でレートマッチングを行うことができる。これらの異なるレートマッチングの能力は、ＵＥのデバイス性能またはＵＥの現在の送信モードに依存し得る。
【００４７】
異なるＵＥにより適用されるブランキングパターンがどのように個々のＵＥのレートマッチング能力に依存するかの例を図６に示す。図６では、ブランキングパターンの指標により示されるブランキングパターン６００は、ブランクのＲＥの周辺でレートマッチングを行う能力に関して異なる、異なるＵＥ（ＵＥ０、ＵＥ１、ＵＥ２、ＵＥ３）との無線通信のために適用されるものとする。
【００４８】
（ＵＥ０の例で図示されている）個別のＲＥの周辺でレートマッチングを行うことが可能なＵＥに対しては、ブランキングパターン６００が示されるように適用され得る。（ＵＥ１の例で図示されれている）所与の変調シンボルの全てのＲＥの周辺のみレートマッチングを行うことが可能なＵＥに対しては、ブランキングパターン６１０が適用され、ブランキングパターン６００のブランクのＲＥと同じシンボルインデックスを有する全てのＲＥが同様にブランクとなる。（ＵＥ２の例で図示されれている）所与のサブキャリアの全てのＲＥの周辺のみレートマッチングを行うことが可能なＵＥに対しては、ブランキングパターン６２０が適用され、ブランキングパターン６００のブランクのＲＥと同じサブキャリアインデックスを有する全てのＲＥが同様にブランクとなる。（ＵＥ３の例で図示されれている）所与のサブキャリアと所与の変調シンボルの全てのＲＥの周辺のみレートマッチングを行うことが可能なＵＥに対しては、ブランキングパターン６３０が適用され、ブランキングパターン６００のブランクのＲＥと同じサブキャリアインデックスおよびブランキングパターン６００のブランクのＲＥと同じシンボルインデックスを有する全てのＲＥが同様にブランクとなる。
【００４９】
ＵＥに依存するブランキングパターンの適合化は、ＵＥまたはＵＥと通信するネットワークノードにおいて、ＵＥのタイプまたはＵＥの現在の送信モードといったＵＥに関する情報に基づいて、行われ得る。また、ブランキングパターンの指標の時間領域の情報および／または周波数領域の情報は、それに従って適合化され得る。
【００５０】
いくつかの実装では、適用されたブランキングパターンは時間依存でもあり得る。これは、例えば、ブランキングパターンの指標において、複数のブランキングパターンと関連する時間的有効性を示すことにより、実現され得る。更に、ブランキングパターンは、図４と図５に関連して説明したような、ＲＥの複数の示したパターンの結合でもあり得る。そのようなケースでは、適用されたブランキングパターンの時間依存性が、１つ以上のこれらの示されたパターンを時間的有効性に関連付けることにより得られ得る。図７は対応する例を示し、ここで、図４の例と同様の手法で定義された、ＲＥ７１０の第１のパターン、ＲＥ７２０の第２のパターン、ＲＥ７３０の第３のパターンを示し、図４の例と同じ結合インジケータが、論理優先順位規則に従って利用インジケータにより定義された論理的結合を適用することにより、ブランキングパターン７５０またはブランキングパターン７６０のいずれかと、時間依存手法において結合されているものとする。図７の例では、時間領域において定義された特定の送信時間間隔（例えばサブフレーム）等に対する時間Ｔ１において、パターン７１０、７２０、７３０が有効であると想定され、適用されたブランキングパターン７５０において、他の送信時間間隔等に対する時間Ｔ２において、パターン７１０と７２０が有効となる。時間的有効性は、示されたパターンの周期性および／またはオフセットの観点で定義され得る。例えば、図７のシナリオにおいて、パターン７１０、７２０が、第１の周期性（例えば各送信時間間隔における２つの時間）に従って有効であり、パターン７３０が、第２の周期性（例えば各送信時間間隔における１つの時間）に従って有効であり、半分の送信時間間隔のオフセット等の、パターン７１０、７２０の有効性に関するオフセットに関する。これにより、送信時間間隔は半分に分離される。一方はブランキングパターン７５０に関連付けられ、他方はブランキングパターン７５０に関連付けられる。
【００５１】
更に、ブランキングパターンの指標は、時間依存の手法で結合された異なるサイズのパターンを構成するために使用され、適用されたブランキングパターンを定義する。対応するシナリオの例を、図８、図９Ａ、図９Ｂに示す。
【００５２】
図８に示すように、ブランキングパターンの指標により、基地局１００−Ａは、２つのパターンＰ１、Ｐ２を、ＵＥ１０−Ａに知らせる。パターンＰ１、Ｐ２は異なるサイズを有する。すなわち、異なる数のサブキャリアおよび／または異なる数の変調シンボルにわたって広がる。パターンＰ１、Ｐ２は、異なる時間Ｔ１、Ｔ２において適用されるブランキングパターンを形成するための基礎として使用される。この目的のために、パターンＰ１および／またはＰ２は、異なる手法で結合され、時間周波数空間の特定の部分をカバーする。例えば、時間周波数空間のそのような部分は、ＵＥ１０−Ａに対するリソース割り当てにより定義され得る。対応するシナリオの例が図９Ａと図９Ｂにより示される。
【００５３】
図９Ａに示すように、Ｔ１において、ＵＥ１０−Ａに対するリソース割り当て９１０が提供され、パターンＰ１の複数の例が、９２０で示されるように、リソース割り当て９１０により定義される時間周波数空間の一部をカバーするために、結合されている。Ｔ１において適用されたブランキングパターン９３０は、リソース割り当て９１０とパターンの結合９２０により定義された時間周波数空間の一部の共通部分（intersection）に対応する。
【００５４】
図９Ｂに示すように、Ｔ２において、ＵＥ１０−Ａに対する更なるリソース割り当て９５０が提供され、パターンＰ１の複数の例が、９６０で示されるように、パターンＰ２の複数の例が、９７０で示されるように、リソース割り当て９５０により定義される時間周波数空間の一部をカバーするために、結合されている。Ｔ２において適用されたブランキングパターン９８０は、リソース割り当て９１０とパターンの結合９６０、９７０により定義された時間周波数空間の一部の共通部分に対応する。
【００５５】
いくつかの実装では、適用されたブランキングパターンを定義するために使用されるパターンの時間的有効性はまた、１つ以上の信号、例えば同期信号、に関して定義され得る。対応するシナリオが図１０により示される。
【００５６】
図１０のシナリオにおいて、基地局１００−Ａは、第１の信号Ｓ１を送信し、基地局１００−Ｂは第２の信号Ｓ２を送信する。信号Ｓ１、Ｓ２は、例えば、同期信号である。ブランキングパターンの指標は、第１のパターン１０１０を信号Ｓ１に同期し、第２のパターンを信号Ｓ２に同期することを示すものとする。図示するように、信号Ｓ１、Ｓ２間の時間オフセットΔＴ（Ｓ１、Ｓ２）が存在し、これは同期したパターン１０１０、１０２０の対応するオフセットとなる。図９Ａと図９Ｂのシナリオと同様に、適用されたブランキングパターン１０３０は、例えば、リソース割り当てにより定義される、時間周波数空間の特定の一部の共通部分と、同期されたパターン１０２０、１０３０の結合に対応する。
【００５７】
いくつかの実装では、適用されたブランキングパターンはまた、無線通信に対して使用される送信リソース、例えば、無線通信に対して使用されるアンテナポートのビーム、に依存し得る。この方法では、例えば、異なる復調参照信号（ＤＭＲＳ）を異なるアンテナポートまたはビームに使用することが考慮され、それに従って、これらリソース固有のＤＭＲＳが割り当てられるＲＥを無視するために、異なるブランキングパターンが必要となり得る。対応するシナリオが図１１により示される。
【００５８】
図１１に示すように、基地局１００−Ａは、ＵＥ１０−Ｂとの無線通信を実行するために複数のビームＢ１、Ｂ２、Ｂ３を使用し得る。しかしながら、ＵＥ１０−Ａは、ビームＢ１、Ｂ２、Ｂ３において適用されるような異なるＤＭＲＳに対するサポートを有さない。したがって、ブランキングパターンの指標を、ビームＢ１、Ｂ２、Ｂ３のそれぞれに関連付けられた異なるブランキングパターン１１１０、１１２０、１１３０を伴って、ＵＥ１０−Ａを構成するために使用することができる。
【００５９】
ブランキングパターンに含まれる情報から適用されたブランキングパターンを取得する、上記の種々の方法はまた、例えば、送信リソースと時間依存の両方であるブランキングパターンを取得するために、必要に応じて組み合わせられ得る。
【００６０】
図１２は、セルラネットワークにおける無線通信を制御する方法を示すためのフローチャートである。当該方法は、セルラネットワークのノード、例えば、図２Ａ、図２Ｂ、図２Ｃの基地局１００−Ａに対応するノートにおける、上述の概念を実装するために使用され得る。ノードのプロセッサベースの実装が使用される場合、方法のステップは、ノードの１つ以上のプロセッサにより実行され得る。または、ノードの１つ以上のプロセッサは、ノードが当該方法を実行する方法でノードを制御し得る。この目的のために、プロセッサは、対応して構成されたプログラムコードを実行し得る。更に、少なくともいくつかの対応する機能性が、プロセッサにおいて配線で接続されている。
【００６１】
ステップ１２１０では、ノードは、ＵＥ１０−ＡまたはＵＥ１０−Ｂ等の通信デバイスとの無線通信を制御または実行する。無線通信は、第１の構成または第２の構成に基づき得る。第１の構成は、第１のＲＥにおける時間周波数空間を組織する。第２の構成は、第２のＲＥにおける時間周波数空間を組織し、少なくとも１つの第２のＲＥを、第１の構成に基づく無線通信と競合する利用に割り当てる。第１の構成と第２の構成は、例えば、図１の構成ＣＯＮＦ＃１と第２の構成ＣＯＮＦ＃２に対応し得る。
【００６２】
ステップ１２２０では、ノードはパターンを決定する。パターンは、第１の構成および／または第２の構成に基づいてセルラネットワークと無線通信を実行する際に、通信デバイスにより無視される、第１のＲＥの少なくとも１つを含む。パターンの少なくとも１つの第１のＲＥは、第２のＲＥの少なくとも１つにより定義される時間−周波数空間の第２の部分と重なる時間−周波数空間の第１の部分を定義する。そのようなパターンの例は、上述したブランキングパターン３００、４５０、５５０、６００、６１０、６２０、６３０、７５０、７６０、８１０、８２０、９３０、９８０、１０３０、１１１０、１１２０、１１３０である。ノードは、例えば、競合する利用に割り当てられた１つ以上の第２のＲＥを識別し、対応する第１のＲＥを決定することにより、第２の構成に依存するパターンの少なくとも第１のＲＥを決定する。
【００６３】
いくつかのシナリオでは、第１の構成は、第１の時間−周波数グリッドに基づいて第１のＲＥを定義し、第２の構成は、例えば、ＲＥの時間領域のサイズ、ＲＥの周波数領域のサイズ、時間領域のオフセット、周波数領域のオフセット等に関して第１の時間−周波数グリッドと異なる第２の時間−周波数グリッドに基づいて第２のＲＥを決定する。しかしながら、第１の構成と第２の構成はまた、単にいくつかのＲＥに割り当てられた利用に関して異なり得る。
【００６４】
いくつかのシナリオでは、第１の構成は、パターンの少なくとも１つの第１のＲＥをダウンリンクおよび／またはアップリンクのデータの送信に割り当て、第２の構成は、少なくとも１つの第２のＲＥをダウンリンクおよび／またはアップリンクの参照信号の送信に割り当てる。更なるシナリオでは、第１の構成は、パターンの少なくとも１つの第１のＲＥをダウンリンクおよび／またはアップリンクの参照信号の送信に割り当て、第２の構成は、少なくとも１つの第２のＲＥを参照信号の送信に割り当てない。
【００６５】
いくつかのシナリオでは、パターンは更に、通信デバイスの能力と送信モードの少なくとも一方に依存し得る。例えば、パターンは、例えば図６に関連して説明したように、通信デバイスのレートマッチング能力に依存し得る。
【００６６】
ステップ１２３０では、ノードは指標を通信デバイスに送信する。指標は、パターンを定義するための時間領域の情報および／または周波数領域の情報を含む。例えば、時間領域の情報および／または周波数領域の情報は、周波数領域における無線キャリアを識別するキャリアインデックスと、時間領域における変調シンボルを識別するシンボルインデックスの少なくとも一方を含む。例えば、ＬＴＥ無線技術で利用されるようなサブキャリアインデックスおよび／またはシンボルインデックスである。また、ＲＥの時間位置を識別するための時間領域の座標および／またはＲＥの周波数位置を識別するための周波数領域の座標のいくつかの他の形態も、指標に利用され得る。さらに、そのような座標が適用する時間周波数空間の特定の部分を識別するための情報も、例えば、ＬＴＥ無線技術で使用されるようなＰＲＢインデックスの形態で、指標に含まれ得る。そのような指標の例は、上述したブランキングパターンの指標２０である。
【００６７】
指標はまた、例えば上述した利用インジケータの一部として、少なくとも１つの第１のリソースエレメントを無視することが、通信デバイスからセルラネットワークのアップリンク無線通信、または、セルラネットワークから通信デバイスへのダウンリンク無線通信に適用されるかを定義する情報を含み得る。
【００６８】
指標はまた、パターンが適用する１つ以上の送信時間間隔のセットを定義する情報を、例えば、反復パターンまたは規則、周期性、または特定の送信時間間隔との対応付けの形態で、含み得る。送信時間間隔は、例えば、ＬＴＥ無線技術のサブフレームまたはその一部に対応する。パターンのそのような時間依存性の例を、図７、図８、図９Ａ、および図９Ｂと関連して説明する。
【００６９】
指標はまた、図１０に関連して説明されるように、１つ以上の信号に関連して、パターンのタイミングを定義する情報を含み得る。
【００７０】
いくつかのシナリオでは、指標はまた、少なくとも、第１のリソースエレメントの第１のパターンを定義するための第１の時間領域および／または周波数領域の情報と、第１のリソースエレメントの第２のパターンを定義するための第２の時間領域および／または周波数領域の情報を含み得る。パターンはそして、第１のパターンと第２のパターンの結合でもあり得る。複数の示されたパターンを結合することによりパターン取得することに対応する例を、図４、図５、図７、図１０に関連して説明する。そのようなシナリオでは、指標は、例えば、上述した利用インジケータの一部として、第１のパターンと第２のパターンを結合するための１つ以上の論理演算を定義する情報を含み得る。そのようなケースでは、指標はまた、第１のパターンが適用する１つ以上の送信時間間隔のセットを定義する情報と、第２のパターンが適用する１つ以上の送信時間間隔のセットを定義する情報を、例えば、反復パターンまたは規則、周期性、または特定の送信時間間隔との対応付けの形態で、含み得る。送信時間間隔は、例えば、ＬＴＥ無線技術のサブフレームまたはその一部に対応する。結合されたパターンのそのような時間依存の有効性の例を図７に関連して説明する。更に、指標は、図１０に関連して説明されるように、１つ以上の信号に関連して、第１のパターンのタイミングと第２のパターンのタイミングを定義する情報を含み得る。
【００７１】
いくつかのシナリオでは、指標はまた、パターンとパターンが適用する送信リソースとの関連付けを定義する情報を含み得る。この送信リソースは、例えば、アンテナポート、送信ビーム、リソースブロックまたはリソースブロックのグループといった時間または周波数の範囲、または、送信のために使用される符号、であり得る。対応するシナリオの例を、図１１に関連して説明する。
【００７２】
ノードは、図２Ａと図２Ｂのシナリオのように、無線リンクを介して通信デバイスに対して直接的に指標を送信する。ここで、基地局１００−Ａは、ブランキングパターンの指標２０を、無線リンクＲＬ１を介してＵＥ１０−Ａに対して送信し、無線リンクＬＲ３を介してＵＥ１０−Ｂに対して送信する。または、図２Ｃのシナリオのように、更なるノードを介して通信デバイスに対して直接的に指標を送信する。ここで、基地局１００−Ａは、まず、ブランキングパターンの指標２０’をバックホールリンクＢＨＬを介して基地局１００−Ｂに送信し、それはブランキングパターンの指標２０を無線リンクＲＬ２を介してＵＥ１０−Ａに送信する。
【００７３】
ステップ１２４０では、ノードはまた、第１の構成および／または第２の構成に基づいて無線通信を実行する際に、パターンの少なくとも１つの第１のＲＥを無視する。後者のケースでは、ノードは、例えば少なくとも１つの第１のＲＥに対応する、すなわち、時間周波数空間をカバーする、またはその一部が重なる、第１のＲＥの１つ以上を決定することにより、少なくとも１つの第２のリソースエレメントを決定し、第２の構成に基づいて無線通信を実行する際に、少なくとも１つの第２のＲＥを無視する。
【００７４】
いくつかのシナリオでは、ノードはまた、更なる指標を、セルラネットワークの更なるノードに対して送信し得る。更なる指標は、ステップ１２３０の指標と同じまたは同様のコンテンツを有し得る。特に、更なる指標は、第１のＲＥの少なくとも１つを含むパターンを定義するための時間領域および／または周波数領域の情報も含み得る。更なる指標により、パターンの第１のＲＥの少なくとも１つはまた、第１の構成および／または第２の構成に基づいて無線通信を実行する際に、更なるノードにより無視され得ることが示される。そのような更なる指標の例は、基地局１００−Ａから基地局１００−Ｂへの図２Ａのシナリオにおいて送信されたような、更なるブランキングパターンの指標２０’である。
【００７５】
第１の構成が、パターンの少なくとも１つの第１のＲＥをデータの送信に割り当て、第２の構成が、第２のＲＥの少なくとも１つを参照信号の送信に割り当てる場合、第１に構成に基づいて無線通信を実行する際に、パターンの少なくとも１つの第１のＲＥを無視する動作は、パターンの少なくとも１つの第１のＲＥを除外した第１のＲＥのグループにデータをマッピングすることを含む。これは、パターンの少なくとも１つの第１のＲＥ周辺のデータをレートマッチングすることも含み得る。更に、このケースでは、第２の構成に基づいて無線通信を実行する際に、パターンの少なくとも第１のＲＥを無視する動作は、第２のＲＥ、すなわち、パターンの少なくとも１つの第１のＲＥに対応する第２のＲＥの少なくとも１つを除外した第２のＲＥのグループに参照信号をマッピングすることを含む。
【００７６】
第１の構成が、パターンの少なくとも１つの第１のＲＥを参照信号の送信に割り当て、第２の構成が、第２のＲＥの少なくとも１つを参照信号の送信に割り当てない場合、第１の構成に基づいて無線通信を実行する際に、パターンの少なくとも１つの第１のＲＥを無視する動作は、パターンの少なくとも１つの第１のＲＥを除外した第１のＲＥのグループに参照信号をマッピングすることを含む。これは、パターンの少なくとも１つの第１のＲＥ周辺の参照信号をレートマッチングすることも含み得る。
【００７７】
上述した機能性の観点では、説明した概念を実装するためのノードは、ステップ１２１０に関連して説明したような、第１の構成および／または第２の構成に基づいて無線通信を制御または実行するように構成されたモジュール、ステップ１２２０に関連して説明したような、パターンを決定するように構成されたモジュール、ステップ１３３０に関連して説明したような、パターンを定義するための時間領域の情報および／または周波数領域の情報を含む指標を送信するように構成されたモジュール、ステップ１２４０に関連して説明したような、第１の構成に基づいて無線通信を行う際、および／または、第２の構成に基づいて無線通信を行う際にＲＥを無視するように構成されたモジュールが設けられる。さらに、ノードは、図１２に関連して説明したような更なる動作を実行するように構成された、１つ以上の更なるモジュールが設けられ得る。
【００７８】
図１３は、セルラネットワークにおける無線通信を制御する方法を示すためのフローチャートである。当該方法は、セルラネットワークのノード、例えば、図２Ａ、図２Ｂ、図２Ｃの基地局１００−Ｂに対応するノードにおける、上述の概念を実装するために使用され得る。ノードのプロセッサベースの実装が使用される場合、方法のステップは、ノードの１つ以上のプロセッサにより実行され得る。または、ノードの１つ以上のプロセッサは、ノードが当該方法を実行する方法でノードを制御し得る。この目的のために、プロセッサは、対応して構成されたプログラムコードを実行し得る。更に、少なくともいくつかの対応する機能性が、プロセッサにおいて配線で接続されている。
【００７９】
ステップ１３１０では、ノードは、ＵＥ１０−ＡまたはＵＥ１０−Ｂ等の通信デバイスとの無線通信を実行する。無線通信は、第１の構成または第２の構成に基づき得る。第１の構成は、第１のＲＥにおける時間周波数空間を組織する。第２の構成は、第２のＲＥにおける時間周波数空間を組織し、少なくとも１つの第２のＲＥを、第１の構成に基づく無線通信と競合する利用に割り当てる。第１の構成と第２の構成は、例えば、図１の構成ＣＯＮＦ＃１と第２の構成ＣＯＮＦ＃２に対応し得る。
【００８０】
ステップ１３２０では、ノードは指標を受信する。指標は、パターンを定義するための時間領域の情報および／または周波数領域の情報を含む。パターンは、第１の構成および／または第２の構成に基づいて通信デバイスと無線通信を実行する際に無視される、第１のＲＥの少なくとも１つを含む。パターンの少なくとも１つの第１のＲＥは、第２のＲＥの少なくとも１つにより定義される時間−周波数空間の第２の部分と重なる時間−周波数空間の第１の部分を定義する。そのようなパターンの例は、上述したブランキングパターン３００、４５０、５５０、６００、６１０、６２０、６３０、７５０、７６０、８１０、８２０、９３０、９８０、１０３０、１１１０、１１２０、１１３０である。そのような指標の例は、上述したブランキングパターンの指標２０である。ノードは、指標に基づいて、また、オプション的に、更なる情報に基づいて、パターンを決定し得る。
【００８１】
時間領域の情報および／または周波数領域の情報は、周波数領域における無線キャリアを識別するキャリアインデックスと、時間領域における変調シンボルを識別するシンボルインデックスの少なくとも一方を含む。例えば、ＬＴＥ無線技術で利用されるようなサブキャリアインデックスおよび／またはシンボルインデックスである。また、ＲＥの時間位置を識別するための時間領域の座標および／またはＲＥの周波数位置を識別するための周波数領域の座標のいくつかの他の形態も、指標に利用され得る。さらに、そのような座標が適用する時間周波数空間の特定の部分を識別するための情報も、例えば、ＬＴＥ無線技術で使用されるようなＰＲＢインデックスの形態で、指標に含まれ得る。
【００８２】
いくつかのシナリオでは、第１の構成は、第１の時間−周波数グリッドに基づいて第１のＲＥを定義し、第２の構成は、例えば、ＲＥの時間領域のサイズ、ＲＥの周波数領域のサイズ、時間領域のオフセット、周波数領域のオフセット等に関して第１の時間−周波数グリッドと異なる第２の時間−周波数グリッドに基づいて第２のＲＥを決定する。しかしながら、第１の構成と第２の構成はまた、単にいくつかのＲＥに割り当てられた利用に関して異なり得る。
【００８３】
いくつかのシナリオでは、第１の構成は、パターンの少なくとも１つの第１のＲＥをダウンリンクおよび／またはアップリンクのデータの送信に割り当て、第２の構成は、少なくとも１つの第２のＲＥをダウンリンクおよび／またはアップリンクの参照信号の送信に割り当てる。更なるシナリオでは、第１の構成は、パターンの少なくとも１つの第１のＲＥをダウンリンクおよび／またはアップリンクの参照信号の送信に割り当て、第２の構成は、少なくとも１つの第２のＲＥを参照信号の送信に割り当てない。
【００８４】
いくつかのシナリオでは、パターンは更に、通信デバイスの能力と送信モードの少なくとも一方に依存し得る。例えば、パターンは、例えば図６に関連して説明したように、通信デバイスのレートマッチング能力に依存し得る。
【００８５】
指標はまた、例えば上述した利用インジケータの一部として、少なくとも１つの第１のリソースエレメントを無視することが、通信デバイスからセルラネットワークのアップリンク無線通信、または、セルラネットワークから通信デバイスへのダウンリンク無線通信に適用されるかを定義する情報を含み得る。
【００８６】
指標はまた、パターンが適用する１つ以上の送信時間間隔のセットを定義する情報を、例えば、反復パターンまたは規則、周期性、または特定の送信時間間隔との対応付けの形態で、含み得る。送信時間間隔は、例えば、ＬＴＥ無線技術のサブフレームまたはその一部に対応する。パターンのそのような時間依存性の例を、図７、図８、図９Ａ、および図９Ｂと関連して説明する。
【００８７】
指標はまた、図１０に関連して説明されるように、１つ以上の信号に関連して、パターンのタイミングを定義する情報を含み得る。
【００８８】
いくつかのシナリオでは、指標はまた、少なくとも、第１のリソースエレメントの第１のパターンを定義するための第１の時間領域および／または周波数領域の情報と、第１のリソースエレメントの第２のパターンを定義するための第２の時間領域および／または周波数領域の情報を含み得る。パターンはそして、第１のパターンと第２のパターンの結合でもあり得る。複数の示されたパターンを結合することによりパターン取得することに対応する例を、図４、図５、図７、図１０に関連して説明する。そのようなシナリオでは、指標は、例えば、上述した利用インジケータの一部として、第１のパターンと第２のパターンを結合するための１つ以上の論理演算を定義する情報を含み得る。そのようなケースでは、指標はまた、第１のパターンが適用する１つ以上の送信時間間隔のセットを定義する情報と、第２のパターンが適用する１つ以上の送信時間間隔のセットを定義する情報を、例えば、反復パターンまたは規則、周期性、または特定の送信時間間隔との対応付けの形態で、含み得る。送信時間間隔は、例えば、ＬＴＥ無線技術のサブフレームまたはその一部に対応する。結合されたパターンのそのような時間依存性の妥当性の例を図７に関連して説明する。更に、指標は、図１０に関連して説明されるように、１つ以上の信号に関連して、第１のパターンのタイミングと第２のパターンのタイミングを定義する情報を含み得る。
【００８９】
いくつかのシナリオでは、指標はまた、パターンとパターンが適用する送信リソースとの関連付けを定義する情報を含み得る。この送信リソースは、例えば、アンテナポート、送信ビーム、リソースブロックまたはリソースブロックのグループといった時間または周波数の範囲、または、送信のために使用される符号、であり得る。対応するシナリオの例を、図１１に関連して説明する。
【００９０】
ノードは、図２Ａと図２Ｂのシナリオのように、バックホールリンクを介して、セルラネットワークの更なるノードから指標を受信し得る。ここで、基地局１００−Ｂは、バックホールリンクＢＨＬを介して、基地局１００−Ａからブランキングパターンの指標２０’を受信する。また、ノードは、図２Ｂのシナリオのように、無線リンクを介して、通信デバイスから指標を受信し得る。ここで、基地局１００−Ｂは、ＵＥ１０−Ａから、ブランキングパターンの指標２０’を受信する。
【００９１】
いくつかのシナリオでは、ノードはまた、更なる指標を通信デバイスに対して送信し得る。更なる指標は、ステップ１３２０の指標と同じまたは同様のコンテンツを有し得る。特に、更なる指標は、第１のＲＥの少なくとも１つを含むパターンを定義するための時間領域および／または周波数領域の情報も含み得る。更なる指標により、パターンの第１のＲＥの少なくとも１つはまた、第１の構成および／または第２の構成に基づく無線通信を実行する際に、通信デバイスにより無視され得ることが示される。そのような更なる指標の例は、基地局１００−ＢからＵＥ１０−Ａへの図２Ｃのシナリオにおいて送信されたような、ブランキングパターンの指標２０である。
【００９２】
ステップ１３３０では、ノードはまた、第１の構成および／または第２の構成に基づいて無線通信を実行する際に、パターンの少なくとも１つの第１のＲＥを無視する。後者のケースでは、ノードは、例えば少なくとも１つの第１のＲＥに対応する、すなわち、時間周波数空間をカバーする、またはその一部が重なる、第１のＲＥの１つ以上を決定することにより、少なくとも１つの第２のリソースエレメントを決定し、第２の構成に基づいて無線通信を実行する際に、少なくとも１つの第２のＲＥを無視する。
【００９３】
第１の構成が、パターンの少なくとも１つの第１のＲＥをデータの送信に割り当て、第２の構成が、第２のＲＥの少なくとも１つを参照信号の送信に割り当てる場合、第１に構成に基づいて無線通信を実行する際に、パターンの少なくとも１つの第１のＲＥを無視する動作は、パターンの少なくとも１つの第１のＲＥを除外した第１のＲＥのグループにデータをマッピングすることを含む。これは、パターンの少なくとも１つの第１のＲＥ周辺のデータをレートマッチングすることも含み得る。更に、このケースでは、第２の構成に基づいて無線通信を実行する際に、パターンの少なくとも第１のＲＥを無視する動作は、第２のＲＥ、すなわち、パターンの少なくとも１つの第１のＲＥに対応する第２のＲＥの少なくとも１つを除外した第２のＲＥのグループに参照信号をマッピングすることを含む。
【００９４】
第１の構成が、パターンの少なくとも１つの第１のＲＥを参照信号の送信に割り当て、第２の構成が、第２のＲＥの少なくとも１つを参照信号の送信に割り当てない場合、第１の構成に基づいて無線通信を実行する際に、パターンの少なくとも１つの第１のＲＥを無視する動作は、パターンの少なくとも１つの第１のＲＥを除外した第１のＲＥのグループに参照信号をマッピングすることを含む。これは、パターンの少なくとも１つの第１のＲＥ周辺の参照信号をレートマッチングすることも含み得る。
【００９５】
上述した機能性の観点では、説明した概念を実装するためのノードは、ステップ１３１０に関連して説明したような、第１の構成および／または第２の構成に基づいて無線通信を実行するように構成されたモジュール、ステップ１３２０に関連して説明したような、パターンを決定するための時間領域の情報および／または周波数領域の情報を含む指標を受信するように構成されたモジュール、ステップ１３３０に関連して説明したような、第１の構成および／または第２の構成に基づいて無線通信を実行する際にＲＥを無視するように構成されたモジュールが設けられる。さらに、ノードは、図１３に関連して説明したような更なる動作を実行するように構成された、１つ以上の更なるモジュールが設けられ得る。
【００９６】
図１４は、セルラネットワークにおける無線通信を制御する方法を示すためのフローチャートである。当該方法は、セルラネットワークで動作する通信デバイス、例えば、図２Ａ、図２Ｂ、図２ＣのＵＥ１０−Ａまたは１０−Ｂに対応する通信デバイスにおいて、上述の概念を実装するために使用され得る。通信デバイスのプロセッサベースの実装が使用される場合、方法の工程は、通信デバイスの１つ以上のプロセッサにより実行され得る。または、通信デバイスの１つ以上のプロセッサは、通信デバイスが当該方法を実行する方法で通信デバイスを制御し得る。この目的のために、プロセッサは、対応して構成されたプログラムコードを実行し得る。更に、少なくともいくつかの対応する機能性が、プロセッサにおいて配線で接続されている。
【００９７】
ステップ１４１０では、通信デバイスは、セルラネットワーク内で無線通信を実行する。無線通信は、第１の構成または第２の構成に基づき得る。第１の構成は、第１のＲＥにおける時間周波数空間を組織する。第２の構成は、第２のＲＥにおける時間周波数空間を組織し、少なくとも１つの第２のＲＥを、第１の構成に基づく無線通信と競合する利用に割り当てる。第１の構成と第２の構成は、例えば、図１の構成ＣＯＮＦ＃１と第２の構成ＣＯＮＦ＃２に対応し得る。
【００９８】
ステップ１４２０では、通信デバイスは指標を受信する。指標は、パターンを定義するための時間領域の情報および／または周波数領域の情報を含む。パターンは、第１の構成および／または第２の構成に基づいてセルラネットワークと無線通信を実行する際に、通信デバイスにより無視される、第１のＲＥの少なくとも１つを含む。パターンの少なくとも１つの第１のＲＥは、第２のＲＥの少なくとも１つにより定義される時間−周波数空間の第２の部分と重なる時間−周波数空間の第１の部分を定義する。そのようなパターンの例は、上述したブランキングパターン３００、４５０、５５０、６００、６１０、６２０、６３０、７５０、７６０、８１０、８２０、９３０、９８０、１０３０、１１１０、１１２０、１１３０である。そのような指標の例は、上述したブランキングパターンの指標２０である。通信デバイスは、指標に基づいて、また、オプション的に、更なる情報に基づいて、パターンを決定し得る。
【００９９】
時間領域の情報および／または周波数領域の情報は、周波数領域における無線キャリアを識別するキャリアインデックスと、時間領域における変調シンボルを識別するシンボルインデックスの少なくとも一方を含む。例えば、ＬＴＥ無線技術で利用されるようなサブキャリアインデックスおよび／またはシンボルインデックスである。また、ＲＥの時間位置を識別するための時間領域の座標および／またはＲＥの周波数位置を識別するための周波数領域の座標のいくつかの他の形態も、指標に利用され得る。さらに、そのような座標が適用する時間周波数空間の特定の部分を識別するための情報も、例えば、ＬＴＥ無線技術で使用されるようなＰＲＢインデックスの形態で、指標に含まれ得る。
【０１００】
いくつかのシナリオでは、第１の構成は、第１の時間−周波数グリッドに基づいて第１のＲＥを定義し、第２の構成は、例えば、ＲＥの時間領域のサイズ、ＲＥの周波数領域のサイズ、時間領域のオフセット、周波数領域のオフセット等に関して第１の時間−周波数グリッドと異なる第２の時間−周波数グリッドに基づいて第２のＲＥを定義する。しかしながら、第１の構成と第２の構成はまた、単にいくつかのＲＥに割り当てられた利用に関して異なり得る。
【０１０１】
いくつかのシナリオでは、第１の構成は、パターンの少なくとも１つの第１のＲＥをダウンリンクおよび／またはアップリンクのデータの送信に割り当て、第２の構成は、少なくとも１つの第２のＲＥをダウンリンクおよび／またはアップリンクの参照信号の送信に割り当てる。更なるシナリオでは、第１の構成は、パターンの少なくとも１つの第１のＲＥをダウンリンクおよび／またはアップリンクの参照信号の送信に割り当て、第２の構成は、少なくとも１つの第２のＲＥを参照信号の送信に割り当てない。
【０１０２】
いくつかのシナリオでは、パターンは更に、通信デバイスの能力と送信モードの少なくとも一方に依存し得る。例えば、パターンは、例えば図６に関連して説明したように、通信デバイスのレートマッチング能力に依存し得る。
【０１０３】
指標はまた、例えば上述した利用インジケータの一部として、少なくとも１つの第１のリソースエレメントを無視することが、通信デバイスからセルラネットワークのアップリンク無線通信、または、セルラネットワークから通信デバイスへのダウンリンク無線通信に適用されるかを定義する情報を含み得る。
【０１０４】
指標はまた、パターンが適用する１つ以上の送信時間間隔のセットを定義する情報を、例えば、反復パターンまたは規則、周期性、または特定の送信時間間隔との対応付けの形態で、含み得る。送信時間間隔は、例えば、ＬＴＥ無線技術のサブフレームまたはその一部に対応する。パターンのそのような時間依存性の例を、図７、図８、図９Ａ、および図９Ｂと関連して説明する。
【０１０５】
指標はまた、図１０に関連して説明されるように、１つ以上の信号に関連して、パターンのタイミングを定義する情報を含み得る。
【０１０６】
いくつかのシナリオでは、指標はまた、少なくとも、第１のリソースエレメントの第１のパターンを定義するための第１の時間領域および／または周波数領域の情報と、第１のリソースエレメントの第２のパターンを定義するための第２の時間領域および／または周波数領域の情報を含み得る。パターンはそして、第１のパターンと第２のパターンの結合でもあり得る。複数の示されたパターンを結合することによりパターン取得することに対応する例を、図４、図５、図７、図１０に関連して説明する。そのようなシナリオでは、指標は、例えば、上述した利用インジケータの一部として、第１のパターンと第２のパターンを結合するための１つ以上の論理演算を定義する情報を含み得る。そのようなケースでは、指標はまた、第１のパターンが適用する１つ以上の送信時間間隔のセットを定義する情報と、第２のパターンが適用する１つ以上の送信時間間隔のセットを定義する情報を、例えば、反復パターンまたは規則、周期性、または特定の送信時間間隔との対応付けの形態で、含み得る。送信時間間隔は、例えば、ＬＴＥ無線技術のサブフレームまたはその一部に対応する。結合されたパターンのそのような時間依存性の有効性の例を図７に関連して説明する。更に、指標は、図１０に関連して説明されるように、１つ以上の信号に関連して、第１のパターンのタイミングと第２のパターンのタイミングを定義する情報を含み得る。
【０１０７】
いくつかのシナリオでは、指標はまた、パターンとパターンが適用する送信リソースとの関連付けを定義する情報を含み得る。この送信リソースは、例えば、アンテナポート、送信ビーム、リソースブロックまたはリソースブロックのグループといった時間または周波数の範囲、または、送信のために使用される符号、であり得る。対応するシナリオの例を、図１１に関連して説明する。
【０１０８】
通信デバイスは、図２Ａ、２Ｂ、２Ｃのシナリオのように、セルラネットワークのノードから、無線リンクを介して、指標を受信する。ここでＵＥ１０−Ａ、１０−Ｂは、基地局１００−Ａ、１００−Ｂからブランキングパターンの指標２０を受信する。
【０１０９】
いくつかのシナリオでは、通信デバイスはまた、更なる指標を、セルラネットワークのノードに対して送信し得る。更なる指標は、ステップ１４２０の指標と同じまたは同様のコンテンツを有し得る。特に、更なる指標は、第１のＲＥの少なくとも１つを含むパターンを定義するための時間領域および／または周波数領域の情報も含み得る。更なる指標により、パターンの第１のＲＥの少なくとも１つはまた、第１の構成および／または第２の構成に基づいて無線通信を実行する際に、ノードより無視され得ることが示される。そのような更なる指標の例は、ＵＥ１０−Ａから基地局１００−ＢＢの図２Ｂのシナリオにおいて送信されたような、更なるブランキングパターンの指標２０’である。
【０１１０】
ステップ１４３０では、通信デバイスは、第１の構成および／または第２の構成に基づいて無線通信を実行する際に、パターンの少なくとも１つの第１のＲＥを無視する。後者のケースでは、ノードは、例えば少なくとも１つの第１のＲＥに対応する、すなわち、時間周波数空間をカバーする、またはその一部が重なる、第１のＲＥの１つ以上を決定することにより、少なくとも１つの第２のリソースエレメントを決定し、第２の構成に基づいて無線通信を実行する際に、少なくとも１つの第２のＲＥを無視する。
【０１１１】
第１の構成が、パターンの少なくとも１つの第１のＲＥをデータの送信に割り当て、第２の構成が、第２のＲＥの少なくとも１つを参照信号の送信に割り当てる場合、第１に構成に基づいて無線通信を実行する際に、パターンの少なくとも１つの第１のＲＥを無視する動作は、パターンの少なくとも１つの第１のＲＥを除外した第１のＲＥのグループにデータをマッピングすることを含む。これは、パターンの少なくとも１つの第１のＲＥ周辺のデータをレートマッチングすることも含み得る。更に、このケースでは、第２の構成に基づいて無線通信を実行する際に、パターンの少なくとも第１のＲＥを無視する動作は、第２のＲＥ、すなわち、パターンの少なくとも１つの第１のＲＥに対応する第２のＲＥの少なくとも１つを除外した第２のＲＥのグループに参照信号をマッピングすることを含む。
【０１１２】
第１の構成が、パターンの少なくとも１つの第１のＲＥを参照信号の送信に割り当て、第２の構成が、第２のＲＥの少なくとも１つを参照信号の送信に割り当てない場合、第１の構成に基づいて無線通信を実行する際に、パターンの少なくとも１つの第１のＲＥを無視する動作は、パターンの少なくとも１つの第１のＲＥを除外した第１のＲＥのグループに参照信号をマッピングすることを含む。これは、パターンの少なくとも１つの第１のＲＥ周辺の参照信号をレートマッチングすることも含み得る。
【０１１３】
上述した機能性の観点では、説明した概念を実装するための通信デバイスは、ステップ１４１０に関連して説明したような、第１の構成および／または第２の構成に基づいて無線通信を実行するように構成されたモジュール、ステップ１４２０に関連して説明したような、パターンを決定するための時間領域の情報および／または周波数領域の情報を含む指標を受信するように構成されたモジュール、ステップ１４３０に関連して説明したような、第１の構成に基づいて無線通信を実行する際、および／または、第２の構成に基づいて無線通信を実行する際にＲＥを無視するように構成されたモジュールが設けられる。さらに、通信デバイスは、図１４に関連して説明したような更なる動作を実行するように構成された、１つ以上の更なるモジュールが設けられ得る。
【０１１４】
なお、上述の概念は、図１２の方法に従って動作するノード、および、図１４に従って動作する通信デバイスとを含むシステムにおいても実装され得る。更に、上述の概念は、図１３の方法に従って動作するノード、および、図１４に従って動作する通信デバイスとを含むシステムにおいても実装され得る。更に、上述の概念は、図１２の方法に従って動作するノード、および、図１３に従って動作するノードとを含むシステムにおいても実装され得る。更に、上述の概念は、図１２の方法に従って動作するノード、図１３の方法に従って動作するノード、および、図１４に従って動作する通信デバイスとを含むシステムにおいても実装され得る。
【０１１５】
図１５は、セルラネットワークのノード、例えば基地局１００−Ａまたは１００−Ｂにおいて上述の概念を実装するために使用され得る例示的な構成を示す。
【０１１６】
図示するように、ノードは、ＵＥ１０−Ａ、１０−Ｂといった通信デバイスと接続するためのインタフェース１５１０を含み得る。ノードが基地局または他の種類の無線アクセスノードに対応する場合、インタフェースは無線インタフェースである。インタフェース１５１０は、上述のブランキングパターンの指標を通信デバイスに送信するために利用され得る。インタフェース１５１０は、上述のブランキングパターンの指標を通信デバイスから受信するするために利用され得る。更に、インタフェース１５１０は、通信デバイスとの無線通信を制御または実行するために利用され得る。
【０１１７】
更に、ノードは、インタフェース１５１０に接続された１つ以上のプロセッサ１５５０と、プロセッサ１５５０に接続されたメモリ１５６０を有する。メモリ１５６０は、フラッシュＲＯＭ等のＲＯＭ（Read Only Memory）、ＤＲＡＭ（Dynamic RAM）またはＳＲＡＭ（Static RAM）等のＲＡＭ（Random Access Memory）、ハードディスクまたは固体ディスク等のマスストレージ等を含み得る。メモリ１５６０は、セルラネットワークノードの上述の機能を実装するように、プロセッサ１５５０により実行される、適切に設定されたプログラムコードを有する。特に、メモリ１５６０は、ノードを、例えば図１２または図１３の方法のステップに対応するような上述の処理を実行させるための種々のプログラムコードモジュールを有する。図示するように、メモリ１５６０は、図１２のステップ１２１０または図１３のステップ１３１０に関連して説明したような、無線通信を実行または制御する上述の機能性を実装するための無線制御モジュール１５７０を含み得る。更に、メモリ１５６０は、図１２のステップ１２２０または図１３のステップ１３２０に関連して説明したような、ノードにより送信される、または、適用される、ブランキングパターンを決定する上述の機能性を実装ためのパターン処理モジュール１５８０を含み得る。更に、メモリ１５６０は、ブランキングパターンを送信または受信する上述の機能性を実装するためのシグナリングモジュール１５９０を含み得る。
【０１１８】
図１５に示すような構成は、単なる概略であり、ノードは実際には、更なるインタフェースまたはプロセッサ等、明確性の目的のために図示されていない更なる構成要素を有し得ることを理解すべきである。また、メモリ１５６０は、ＬＴＥ無線技術のｅＮＢe等のセルラネットワーク基地局の既知の機能性を実装するためのプログラムコードモジュール等、図示されていない、更なる種類のプログラムコードモジュールを含み得る。いくつかの実施形態によれば、例えば、メモリ１５６０に記憶されるプログラムコードおよび／または他のデータを記憶する物理的な媒体の形態で、または、ダウンロードに利用可能なプログラムコードを作成することにより、またはストリーミングにより、コンピュータプログラムが、ノードの機能を実装するために提供される。
【０１１９】
図１６は、ＵＥ１０−Ａまたは１０−Ｂ等の通信デバイスにおける上述の概念を実装するために使用され得る例示的な構成を示す。
【０１２０】
図示するように、通信デバイスは、セルラネットワークと接続するためのインタフェース１６１０を有する。例えば、無線インタフェースは、ＬＴＥ無線技術に対して規定されたような無線インタフェースに対応し得る。インタフェース１６１０は、上述のブランキングパターンの指標をセルラネットワークのノードから受信するために利用され得る。更に、インタフェース１６１０は、上述のブランキングパターンの指標をセルラネットワークのノードに送信するために利用され得る。更に、インタフェース１６１０は、セルラネットワークとの無線通信を実行するために利用され得る。
【０１２１】
更に、通信デバイスは、インタフェース１６１０に接続された１つ以上のプロセッサ１６５０と、プロセッサ１６５０に接続されたメモリ１６６０を有する。メモリ１６６０は、フラッシュＲＯＭ等のＲＯＭ、ＤＲＡＭまたはＳＲＡＭ等のＲＡＭ、ハードディスクまたはソリッドステートディスク等のマスストレージ等を含み得る。メモリ１６６０は、通信デバイスの上述の機能を実装するように、プロセッサ１６５０により実行される、適切に設定されたプログラムコードを有する。特に、メモリ１６６０は、通信デバイスを、例えば図１４の方法のステップに対応するような上述の処理を実行させるための種々のプログラムコードモジュールを有する。図示するように、メモリ１６６０は、図１４のステップ１４１０に関連して説明したような、無線通信を実行する上述の機能性を実装するための無線制御モジュール１６７０を含み得る。更に、メモリ１６６０は、図１４のステップ１４２０に関連して説明したような、通信デバイスにより送信される、または、適用される、ブランキングパターンを決定する上述の機能性を実装ためのパターン処理モジュール１６８０を含み得る。更に、メモリ１６６０は、ブランキングパターンを送信または受信する上述の機能性を実装するためのシグナリングモジュール１６９０を含み得る。
【０１２２】
図１６に示すような構成は、単なる概略であり、通信装置は実際には、更なるインタフェースまたはプロセッサ等、明確性の目的のために図示されていない更なる構成要素を有し得ることを理解すべきである。また、メモリ１６６０は、UEの既知の機能を実装するためのプログラムコードモジュール等、図示されていない、更なる種類のプログラムコードモジュールを含み得る。いくつかの実施形態によれば、例えば、メモリ１６６０に記憶されるプログラムコードおよび／または他のデータを記憶する物理的な媒体の形態で、または、ダウンロードに利用可能なプログラムコードを作成することにより、またはストリーミングにより、コンピュータプログラムが、通信装置の機能を実装するために提供される。
【０１２３】
理解できるように、上述の概念は、同じ無線技術の異なるバージョンまたは異なる無線技術に従う構成といった、異なる構成における無線リソースの競合する利用に関して、無線デバイスまたはネットワークノードの互換性を向上させるために使用される。ブランキングパターンの指標を、時間領域の情報および／または周波数領域の情報と共に提供することにより、無視すべきＲＥを柔軟に定義することが可能となり、これにより、異なる構成によるこれらのＲＥの競合する利用の割り当てに起因する不利な影響を回避することができる。
【０１２４】
上記に説明した例や実施形態は、単に説明的なものであり、種々の修正を受け得ることを理解すべきである。例えば、種々のフォーマットがブランキングパターンの指標のために使用され得る。また、種々の種類のプロトコルまたはメッセージがブランキングパターンの指標を伝達するために利用され得る。更に、上述した第１および第２の構成は単に例示的なものであり、説明した概念は、無線通信に対して使用される異なる構成が無線リソースの競合する利用の割り当てにより影響を受ける可能性がある、あらゆる配置に関して適用可能であることが理解されるだろう。更に、説明したノードは、単一のデバイスまたは複数のデバイスのシステムによって実装され得る。さらに、上述の概念は、現存する装置の１つ以上のプロセッサにより実行され得る、対応した設計のソフトウェアを用いることにより、または、専用の装置のハードウェアを用いることにより、実装され得る。
【図１】
0006592180.tif 000005
【図２Ａ】
0006592180.tif 000006
【図２Ｂ】
0006592180.tif 000007
【図２Ｃ】
0006592180.tif 000008
【図３】
0006592180.tif 000009
【図４】
0006592180.tif 000010
【図５】
0006592180.tif 000011
【図６】
0006592180.tif 000012
【図７】
0006592180.tif 000013
【図８】
0006592180.tif 000014
【図９Ａ】
0006592180.tif 000015
【図９Ｂ】
0006592180.tif 000016
【図１０】
0006592180.tif 000017
【図１１】
0006592180.tif 000018
【図１２】
0006592180.tif 000019
【図１３】
0006592180.tif 000020
【図１４】
0006592180.tif 000021
【図１５】
0006592180.tif 000022
【図１６】
0006592180.tif 000023